(57)【要約】  本開示は、アップリンク電力制御方法および移動通信端末を提供する。当該方法において、アップリンクチャネルフォーマットに対応するアップリンク伝送パラメータを取得することと、アップリンク電力の制御を実現するように、前記アップリンク伝送パラメータに基づいてアップリンク電力調整値を計算することと、を含む。【選択図】  図１
2021503793.tif 000002
【特許請求の範囲】
【請求項１】
アップリンクチャネルフォーマットに対応するアップリンク伝送パラメータを取得することと、
アップリンク電力の制御を実現するように、前記アップリンク伝送パラメータに基づいてアップリンク電力調整値を計算することと、
を含む、アップリンク電力制御方法。
【請求項２】
前記アップリンクチャネルフォーマットは、２ビット以下の短いＰＵＣＣＨフォーマットである第１ＰＵＣＣＨフォーマットであり、
前記のアップリンクチャネルフォーマットに対応するアップリンク伝送パラメータを取得することは、
前記第１ＰＵＣＣＨフォーマットに占用されるシンボル数を取得することを含み、
前記の前記アップリンク伝送パラメータに基づいてアップリンク電力調整値を計算することは、
前記第１ＰＵＣＣＨフォーマットに占用されるシンボル数に基づいて前記アップリンク電力調整値を計算することを含む、請求項１に記載の方法。
【請求項３】
前記の前記第１ＰＵＣＣＨフォーマットに占用されるシンボル数に基づいて前記アップリンク電力調整値を計算することは、
前記アップリンク電力調整値を以下の式で
【数１】
2021503793.tif 000583
ここで、
【数２】
2021503793.tif 000584
：前記アップリンク電力調整値；
【数３】
2021503793.tif 000585
：前記第１ＰＵＣＣＨフォーマットに占用されるシンボル数；
【数４】
2021503793.tif 000586
：前記第１ＰＵＣＣＨフォーマットに対応する参照係数；
計算することを含む、請求項２に記載の方法。
【請求項４】
前記
【数５】
2021503793.tif 000587
の値は、所定値またはハイレイヤシグナリングによって設定された値である、請求項３に記載の方法。
【請求項５】
前記アップリンクチャネルフォーマットは、２ビット以下の長いＰＵＣＣＨフォーマットである第２ＰＵＣＣＨフォーマットであり、
前記のアップリンクチャネルフォーマットに対応するアップリンク伝送パラメータを取得することは、
前記第２ＰＵＣＣＨフォーマットに占用されるシンボル数、および、前記第２ＰＵＣＣＨフォーマットのうちのＤＭＲＳに占用されるシンボル数を取得することを含み、
前記の前記アップリンク伝送パラメータに基づいてアップリンク電力調整値を計算することは、
前記第２ＰＵＣＣＨフォーマットに占用されるシンボル数、および、前記第２ＰＵＣＣＨフォーマットのうちのＤＭＲＳに占用されるシンボル数に基づいて前記アップリンク電力調整値を計算することを含む、請求項１に記載の方法。
【請求項６】
前記の前記第２ＰＵＣＣＨフォーマットに占用されるシンボル数、および、前記第２ＰＵＣＣＨフォーマットのうちのＤＭＲＳに占用されるシンボル数に基づいて前記アップリンク電力調整値を計算することは、
前記アップリンク電力調整値を以下の式で
【数６】
2021503793.tif 000588
ここで、
【数７】
2021503793.tif 000589
：前記アップリンク電力調整値；
【数８】
2021503793.tif 000590
：前記第２ＰＵＣＣＨフォーマットに占用されるシンボル数；
【数９】
2021503793.tif 000591
：前記第２ＰＵＣＣＨフォーマットのうちのＤＭＲＳに占用されるシンボル数；
【数１０】
2021503793.tif 000592
：前記第２ＰＵＣＣＨフォーマットに対応する参照係数；
計算することを含む、請求項５に記載の方法。
【請求項７】
前記
【数１１】
2021503793.tif 000593
の値は、所定値またはハイレイヤシグナリングによって設定された値である、請求項６に記載の方法。
【請求項８】
前記アップリンクチャネルフォーマットは、２ビットより大きい短いＰＵＣＣＨフォーマットである第３ＰＵＣＣＨフォーマットであり、
前記のアップリンクチャネルフォーマットに対応するアップリンク伝送パラメータを取得することは、
前記第３ＰＵＣＣＨフォーマットに対応するアップリンク制御信号ＵＣＩのビット数、および、前記ＵＣＩを搬送するリソースエレメントＲＥの数を取得することを含み、
前記の前記アップリンク伝送パラメータに基づいてアップリンク電力調整値を計算することは、
前記ＵＣＩのビット数および前記ＲＥの数に基づいて前記アップリンク電力調整値を計算することを含む、請求項１に記載の方法。
【請求項９】
前記の前記ＵＣＩのビット数および前記ＲＥの数に基づいて前記アップリンク電力調整値を計算することは、
前記ＵＣＩのビット数が２より大きくかつ１１以下である場合、前記アップリンク電力調整値を以下の式で
【数１２】
2021503793.tif 000594
ここで、
【数１３】
2021503793.tif 000595
：前記アップリンク電力調整値；
【数１４】
2021503793.tif 000596
：前記ＵＣＩのビット数；
【数１５】
2021503793.tif 000597
：前記ＲＥの数であり、
【数１６】
2021503793.tif 000598
；
【数１７】
2021503793.tif 000599
：前記第３ＰＵＣＣＨフォーマットに占用されるシンボル数；
【数１８】
2021503793.tif 000600
：前記第３ＰＵＣＣＨフォーマットに占用される帯域幅；
ｋ：所定値；
計算することを含み、
前記ＵＣＩのビット数が１１より大きい場合、前記アップリンク電力調整値を以下の式で
【数１９】
2021503793.tif 000601
ここで、
【数２０】
2021503793.tif 000602
：前記アップリンク電力調整値；
【数２１】
2021503793.tif 000603
：前記ＵＣＩのビット数；
【数２２】
2021503793.tif 000604
：前記ＲＥの数であり、
【数２３】
2021503793.tif 000605
；
【数２４】
2021503793.tif 000606
：前記第３ＰＵＣＣＨフォーマットに占用されるシンボル数；
【数２５】
2021503793.tif 000607
：前記第３ＰＵＣＣＨフォーマットに占用される帯域幅；
【数２６】
2021503793.tif 000608
：ｐｏｌａｒ符号化ゲインの関連関数；
計算することを含む、請求項８に記載の方法。
【請求項１０】
前記第３ＰＵＣＣＨフォーマットに占用される帯域幅は、サブキャリアの数で示され、
前記ｋの値の範囲は、３以上かつ７以下である、請求項９に記載の方法。
【請求項１１】
前記アップリンクチャネルフォーマットは、２ビットより大きい短いＰＵＣＣＨフォーマットである第３ＰＵＣＣＨフォーマットであり、
前記のアップリンクチャネルフォーマットに対応するアップリンク伝送パラメータを取得することは、
前記第３ＰＵＣＣＨフォーマットに対応するＵＣＩのビット数、前記ＵＣＩを搬送するＲＥの数、および、前記第３ＰＵＣＣＨフォーマットのホッピング設定パラメータを取得することを含み、
前記ホッピング設定パラメータは、ＰＵＣＣＨをホッピングＯＮに設定するパラメータ、または、ＰＵＣＣＨをホッピングＯＦＦに設定するパラメータを含み、
前記の前記アップリンク伝送パラメータに基づいてアップリンク電力調整値を計算することは、
前記ＵＣＩのビット数、前記ＲＥの数および前記第３ＰＵＣＣＨフォーマットのホッピング設定パラメータに基づいて前記アップリンク電力調整値を計算することを含む、請求項１に記載の方法。
【請求項１２】
前記の前記ＵＣＩのビット数、前記ＲＥの数および前記第３ＰＵＣＣＨフォーマットのホッピング設定パラメータに基づいて前記アップリンク電力調整値を計算することは、
前記ＵＣＩのビット数が２より大きくかつ１１以下である場合、前記アップリンク電力調整値を以下の式で
【数２７】
2021503793.tif 000609
ここで、
【数２８】
2021503793.tif 000610
：前記アップリンク電力調整値；
【数２９】
2021503793.tif 000611
：前記ＵＣＩのビット数；
【数３０】
2021503793.tif 000612
：前記ＲＥの数であり、
【数３１】
2021503793.tif 000613
；
【数３２】
2021503793.tif 000614
：前記第３ＰＵＣＣＨフォーマットに占用されるシンボル数；
【数３３】
2021503793.tif 000615
：前記第３ＰＵＣＣＨフォーマットに占用される帯域幅；
ｋ：所定値；前記ｋの値は、前記第３ＰＵＣＣＨフォーマットのホッピング設定パラメータに関係し、または、前記第３ＰＵＣＣＨフォーマットのホッピング設定パラメータに関係せず；
計算することを含み、
前記ＵＣＩのビット数が１１より大きい場合、前記アップリンク電力調整値を以下の式で
【数３４】
2021503793.tif 000616
ここで、
【数３５】
2021503793.tif 000617
：前記アップリンク電力調整値；
【数３６】
2021503793.tif 000618
：前記ＵＣＩのビット数；
【数３７】
2021503793.tif 000619
：前記ＲＥの数であり、
【数３８】
2021503793.tif 000620
；
【数３９】
2021503793.tif 000621
：前記第３ＰＵＣＣＨフォーマットに占用されるシンボル数；
【数４０】
2021503793.tif 000622
：前記第３ＰＵＣＣＨフォーマットに占用される帯域幅；
【数４１】
2021503793.tif 000623
：ｐｏｌａｒ符号化ゲインの関連関数；
計算することを含む、請求項１１に記載の方法。
【請求項１３】
前記第３ＰＵＣＣＨフォーマットに占用される帯域幅は、サブキャリアの数で示され、
前記ｋの値が前記第３ＰＵＣＣＨフォーマットのホッピング設定パラメータに関係する場合、前記ｋの値の範囲として、
前記第３ＰＵＣＣＨフォーマットのホッピングＯＦＦの際に、前記ｋの値の範囲は、５以上かつ７以下であり、
前記第３ＰＵＣＣＨフォーマットのホッピングＯＮの際に、前記ｋの値の範囲は、３以上でありかつ５より小さく、
または、前記ｋの値が前記第３ＰＵＣＣＨフォーマットのホッピング設定パラメータに関係しない場合、前記ｋの値の範囲は、３以上かつ７以下である、請求項１２に記載の方法。
【請求項１４】
前記アップリンクチャネルフォーマットは、２ビットより大きい長いＰＵＣＣＨフォーマットである第４ＰＵＣＣＨフォーマットであり、
前記のアップリンクチャネルフォーマットに対応するアップリンク伝送パラメータを取得することは、
前記第４ＰＵＣＣＨフォーマットに対応するＵＣＩのビット数、および、前記ＵＣＩを搬送するＲＥの数を取得することを含み、
前記の前記アップリンク伝送パラメータに基づいてアップリンク電力調整値を計算することは、
前記ＵＣＩのビット数および前記ＲＥの数に基づいて前記アップリンク電力調整値を計算することを含む、請求項１に記載の方法。
【請求項１５】
前記の前記ＵＣＩのビット数および前記ＲＥの数に基づいて前記アップリンク電力調整値を計算することは、
前記ＵＣＩのビット数が２より大きくかつ１１以下である場合、前記アップリンク電力調整値を以下の式で
【数４２】
2021503793.tif 000624
ここで、
【数４３】
2021503793.tif 000625
：前記アップリンク電力調整値；
【数４４】
2021503793.tif 000626
：前記ＵＣＩのビット数；
【数４５】
2021503793.tif 000627
：前記ＲＥの数であり、
【数４６】
2021503793.tif 000628
；
【数４７】
2021503793.tif 000629
：前記第４ＰＵＣＣＨフォーマットに占用されるシンボル数；
【数４８】
2021503793.tif 000630
：前記第４ＰＵＣＣＨフォーマットのうちのＤＭＲＳに占用されるシンボル数；
【数４９】
2021503793.tif 000631
：前記第４ＰＵＣＣＨフォーマットに占用される帯域幅；
ｋ：所定値；
計算することを含み、
前記ＵＣＩのビット数が１１より大きい場合、前記アップリンク電力調整値を以下の式で
【数５０】
2021503793.tif 000632
ここで、
【数５１】
2021503793.tif 000633
：前記アップリンク電力調整値；
【数５２】
2021503793.tif 000634
：前記ＵＣＩのビット数；
【数５３】
2021503793.tif 000635
：前記ＲＥの数であり、
【数５４】
2021503793.tif 000636
；
【数５５】
2021503793.tif 000637
：前記第４ＰＵＣＣＨフォーマットに占用されるシンボル数；
【数５６】
2021503793.tif 000638
：前記第４ＰＵＣＣＨフォーマットのうちのＤＭＲＳに占用されるシンボル数；
【数５７】
2021503793.tif 000639
：前記第４ＰＵＣＣＨフォーマットに占用される帯域幅；
【数５８】
2021503793.tif 000640
：ｐｏｌａｒ符号化ゲインの関連関数；
計算することを含む、請求項１４に記載の方法。
【請求項１６】
前記第４ＰＵＣＣＨフォーマットに占用される帯域幅は、サブキャリアの数で示され、
前記ｋの値の範囲は、３以上かつ９以下である、請求項１５に記載の方法。
【請求項１７】
前記アップリンクチャネルフォーマットは、２ビットより大きい長いＰＵＣＣＨフォーマットである第４ＰＵＣＣＨフォーマットであり、
前記のアップリンクチャネルフォーマットに対応するアップリンク伝送パラメータを取得することは、
前記第４ＰＵＣＣＨフォーマットに対応するＵＣＩのビット数、前記ＵＣＩを搬送するＲＥの数、および、前記第４ＰＵＣＣＨフォーマットのホッピング設定パラメータを取得することを含み、
前記ホッピング設定パラメータは、ＰＵＣＣＨをホッピングＯＮに設定するパラメータ、または、ＰＵＣＣＨをホッピングＯＦＦに設定するパラメータを含み、
前記の前記アップリンク伝送パラメータに基づいてアップリンク電力調整値を計算することは、
前記ＵＣＩのビット数、前記ＲＥの数および前記第４ＰＵＣＣＨフォーマットのホッピング設定パラメータに基づいて前記アップリンク電力調整値を計算することを含む、請求項１に記載の方法。
【請求項１８】
前記の前記ＵＣＩのビット数、前記ＲＥの数および前記第４ＰＵＣＣＨフォーマットのホッピング設定パラメータに基づいて前記アップリンク電力調整値を計算することは、
前記ＵＣＩのビット数が２より大きくかつ１１以下である場合、前記アップリンク電力調整値を以下の式で
【数５９】
2021503793.tif 000641
ここで、
【数６０】
2021503793.tif 000642
：前記アップリンク電力調整値；
【数６１】
2021503793.tif 000643
：前記ＵＣＩのビット数；
【数６２】
2021503793.tif 000644
：前記ＲＥの数であり、
【数６３】
2021503793.tif 000645
；
【数６４】
2021503793.tif 000646
：前記第４ＰＵＣＣＨフォーマットに占用されるシンボル数；
【数６５】
2021503793.tif 000647
：前記第４ＰＵＣＣＨフォーマットのうちのＤＭＲＳに占用されるシンボル数；
【数６６】
2021503793.tif 000648
：前記第４ＰＵＣＣＨフォーマットに占用される帯域幅；
ｋ：所定値；前記ｋの値は、前記第４ＰＵＣＣＨフォーマットのホッピング設定パラメータに関係し、または、前記第４ＰＵＣＣＨフォーマットのホッピング設定パラメータに関係せず；
計算することを含み、
前記ＵＣＩのビット数が１１より大きい場合、前記アップリンク電力調整値を以下の式で
【数６７】
2021503793.tif 000649
ここで、
【数６８】
2021503793.tif 000650
：前記アップリンク電力調整値；
【数６９】
2021503793.tif 000651
：前記ＵＣＩのビット数；
【数７０】
2021503793.tif 000652
：前記ＲＥの数であり、
【数７１】
2021503793.tif 000653
；
【数７２】
2021503793.tif 000654
：前記第４ＰＵＣＣＨフォーマットに占用されるシンボル数；
【数７３】
2021503793.tif 000655
：前記第４ＰＵＣＣＨフォーマットのうちのＤＭＲＳに占用されるシンボル数；
【数７４】
2021503793.tif 000656
：前記第４ＰＵＣＣＨフォーマットに占用される帯域幅；
【数７５】
2021503793.tif 000657
：ｐｏｌａｒ符号化ゲインの関連関数；
計算することを含む、請求項１７に記載の方法。
【請求項１９】
前記第４ＰＵＣＣＨフォーマットに占用される帯域幅は、サブキャリアの数で示され、
前記ｋの値が前記第４ＰＵＣＣＨフォーマットのホッピング設定パラメータに関係する場合、前記ｋの値の範囲として、
前記第４ＰＵＣＣＨフォーマットのホッピングＯＦＦの際に、前記ｋの値の範囲は、７以上かつ９以下であり、
前記第４ＰＵＣＣＨフォーマットのホッピングＯＮの際に、前記ｋの値の範囲は、３以上でありかつ５より小さく、
または、前記ｋの値が前記第４ＰＵＣＣＨフォーマットのホッピング設定パラメータに関係しない場合、前記ｋの値の範囲は、３以上かつ９以下である、請求項１８に記載の方法。
【請求項２０】
前記第４ＰＵＣＣＨフォーマットは、ユーザ多重化をサポートするＰＵＣＣＨフォーマットと、ユーザ多重化をサポートしないＰＵＣＣＨフォーマットの２種類を含む、請求項１４に記載の方法。
【請求項２１】
前記アップリンクチャネルフォーマットは、２ビットより大きい短いＰＵＣＣＨフォーマットである第３ＰＵＣＣＨフォーマット、または、２ビットより大きい長いＰＵＣＣＨフォーマットである第４ＰＵＣＣＨフォーマットであり、
前記のアップリンクチャネルフォーマットに対応するアップリンク伝送パラメータを取得することは、
ＰＵＣＣＨフォーマットに対応するＵＣＩのビット数、および、前記ＵＣＩを搬送するＲＥの数を取得することを含み、
前記の前記アップリンク伝送パラメータに基づいてアップリンク電力調整値を計算することは、
前記ＵＣＩのビット数および前記ＲＥの数に基づいて前記アップリンク電力調整値を計算することを含む、請求項１に記載の方法。
【請求項２２】
前記の前記ＵＣＩのビット数および前記ＲＥの数に基づいて前記アップリンク電力調整値を計算することは、
前記ＵＣＩのビット数が２より大きくかつ１１以下である場合、前記アップリンク電力調整値を以下の式で
【数７６】
2021503793.tif 000658
ここで、
【数７７】
2021503793.tif 000659
：前記アップリンク電力調整値；
【数７８】
2021503793.tif 000660
：前記ＵＣＩのビット数；
【数７９】
2021503793.tif 000661
：前記ＲＥの数；
ここで、ＰＵＣＣＨが第３ＰＵＣＣＨフォーマットである場合、
【数８０】
2021503793.tif 000662
；ＰＵＣＣＨが第４ＰＵＣＣＨフォーマットである場合、
【数８１】
2021503793.tif 000663
；
【数８２】
2021503793.tif 000664
：前記ＰＵＣＣＨに占用されるシンボル数；
【数８３】
2021503793.tif 000665
：前記ＰＵＣＣＨのうちのＤＭＲＳに占用されるシンボル数；
【数８４】
2021503793.tif 000666
：前記ＰＵＣＣＨに占用される帯域幅；
ｋ：所定値；
計算することを含む、請求項２１に記載の方法。
【請求項２３】
前記ＰＵＣＣＨに占用される帯域幅は、サブキャリアの数で示され、
前記ｋの値の範囲は、３以上かつ９以下である、請求項２２に記載の方法。
【請求項２４】
アップリンクチャネルフォーマットに対応するアップリンク伝送パラメータを取得するための取得モジュールと、
アップリンク電力の制御を実現するように、前記アップリンク伝送パラメータに基づいてアップリンク電力調整値を計算するための計算モジュールと、
を含む、移動通信端末。
【請求項２５】
前記アップリンクチャネルフォーマットは、２ビット以下の短いＰＵＣＣＨフォーマットである第１ＰＵＣＣＨフォーマットであり、
前記取得モジュールは、具体的に、
前記第１ＰＵＣＣＨフォーマットに占用されるシンボル数を取得することに用いられ、
前記計算モジュールは、具体的に、
アップリンク電力の制御を実現するように、前記第１ＰＵＣＣＨフォーマットに占用されるシンボル数に基づいて前記アップリンク電力調整値を計算することに用いられる、請求項２４に記載の移動通信端末。
【請求項２６】
前記アップリンクチャネルフォーマットは、２ビット以下の長いＰＵＣＣＨフォーマットである第２ＰＵＣＣＨフォーマットであり、
前記取得モジュールは、具体的に、
前記第２ＰＵＣＣＨフォーマットに占用されるシンボル数、および、前記第２ＰＵＣＣＨフォーマットのうちのＤＭＲＳに占用されるシンボル数を取得することに用いられ、
前記計算モジュールは、具体的に、
アップリンク電力の制御を実現するように、前記第２ＰＵＣＣＨフォーマットに占用されるシンボル数、および、前記第２ＰＵＣＣＨフォーマットのうちのＤＭＲＳに占用されるシンボル数に基づいて前記アップリンク電力調整値を計算することに用いられる、請求項２４に記載の移動通信端末。
【請求項２７】
前記アップリンクチャネルフォーマットは、２ビットより大きい短いＰＵＣＣＨフォーマットである第３ＰＵＣＣＨフォーマットであり、
前記取得モジュールは、具体的に、
前記第３ＰＵＣＣＨフォーマットに対応するアップリンク制御信号ＵＣＩのビット数、および、前記ＵＣＩを搬送するリソースエレメントＲＥの数を取得することに用いられ、
前記計算モジュールは、具体的に、
アップリンク電力の制御を実現するように、前記ＵＣＩのビット数および前記ＲＥの数に基づいて前記アップリンク電力調整値を計算することに用いられる、請求項２４に記載の移動通信端末。
【請求項２８】
前記アップリンクチャネルフォーマットは、２ビットより大きい短いＰＵＣＣＨフォーマットである第３ＰＵＣＣＨフォーマットであり、
前記取得モジュールは、具体的に、
前記第３ＰＵＣＣＨフォーマットに対応するＵＣＩのビット数、前記ＵＣＩを搬送するＲＥの数、および、前記第３ＰＵＣＣＨフォーマットのホッピング設定パラメータを取得することに用いられ、
前記ホッピング設定パラメータは、ＰＵＣＣＨをホッピングＯＮに設定するパラメータ、または、ＰＵＣＣＨをホッピングＯＦＦに設定するパラメータを含み、
前記計算モジュールは、具体的に、
前記ＵＣＩのビット数、前記ＲＥの数および前記第３ＰＵＣＣＨフォーマットのホッピング設定パラメータに基づいて前記アップリンク電力調整値を計算することに用いられる、請求項２４に記載の移動通信端末。
【請求項２９】
前記アップリンクチャネルフォーマットは、２ビットより大きい長いＰＵＣＣＨフォーマットである第４ＰＵＣＣＨフォーマットであり、
前記取得モジュールは、具体的に、
前記第４ＰＵＣＣＨフォーマットに対応するＵＣＩのビット数、および、前記ＵＣＩを搬送するＲＥの数を取得することに用いられ、
前記計算モジュールは、具体的に、
アップリンク電力の制御を実現するように、前記ＵＣＩのビット数および前記ＲＥの数に基づいて前記アップリンク電力調整値を計算することに用いられる、請求項２４に記載の移動通信端末。
【請求項３０】
前記アップリンクチャネルフォーマットは、２ビットより大きい長いＰＵＣＣＨフォーマットである第４ＰＵＣＣＨフォーマットであり、
前記取得モジュールは、具体的に、
前記第４ＰＵＣＣＨフォーマットに対応するＵＣＩのビット数、前記ＵＣＩを搬送するＲＥの数、および、前記第４ＰＵＣＣＨフォーマットのホッピング設定パラメータを取得することに用いられ、
前記ホッピング設定パラメータは、ＰＵＣＣＨをホッピングＯＮに設定するパラメータ、または、ＰＵＣＣＨをホッピングＯＦＦに設定するパラメータを含み、
前記計算モジュールは、具体的に、
前記ＵＣＩのビット数、前記ＲＥの数および前記第４ＰＵＣＣＨフォーマットのホッピング設定パラメータに基づいて前記アップリンク電力調整値を計算することに用いられる、請求項２４に記載の移動通信端末。
【請求項３１】
メモリと、プロセッサと、トランシーバと、前記メモリに格納されて前記プロセッサで実行可能なコンピュータプログラムを含む移動通信端末において、
前記プロセッサは、前記コンピュータプログラムを実行すると、
アップリンクチャネルフォーマットに対応するアップリンク伝送パラメータを取得することと、
アップリンク電力の制御を実現するように、前記アップリンク伝送パラメータに基づいてアップリンク電力調整値を計算することと、
を実現する、移動通信端末。
【請求項３２】
前記アップリンクチャネルフォーマットは、２ビット以下の短いＰＵＣＣＨフォーマットである第１ＰＵＣＣＨフォーマットであり、
前記プロセッサは、前記コンピュータプログラムを実行すると、
前記第１ＰＵＣＣＨフォーマットに占用されるシンボル数を取得することと、
アップリンク電力の制御を実現するように、前記第１ＰＵＣＣＨフォーマットに占用されるシンボル数に基づいて前記アップリンク電力調整値を計算することとをさらに実現する、請求項３１に記載の移動通信端末。
【請求項３３】
前記プロセッサは、前記コンピュータプログラムを実行すると、
前記アップリンク電力調整値を以下の式で
【数８５】
2021503793.tif 000667
ここで、
【数８６】
2021503793.tif 000668
：前記アップリンク電力調整値；
【数８７】
2021503793.tif 000669
：前記第１ＰＵＣＣＨフォーマットに占用されるシンボル数；
【数８８】
2021503793.tif 000670
：前記第１ＰＵＣＣＨフォーマットに対応する参照係数；
計算することをさらに実現する、請求項３２に記載の移動通信端末。
【請求項３４】
前記
【数８９】
2021503793.tif 000671
の値は、所定値またはハイレイヤシグナリングによって設定された値である、請求項３３に記載の移動通信端末。
【請求項３５】
前記アップリンクチャネルフォーマットは、２ビット以下の長いＰＵＣＣＨフォーマットである第２ＰＵＣＣＨフォーマットであり、
前記プロセッサは、前記コンピュータプログラムを実行すると、
前記第２ＰＵＣＣＨフォーマットに占用されるシンボル数、および、前記第２ＰＵＣＣＨフォーマットのうちのＤＭＲＳに占用されるシンボル数を取得することと、
アップリンク電力の制御を実現するように、前記第２ＰＵＣＣＨフォーマットに占用されるシンボル数、および、前記第２ＰＵＣＣＨフォーマットのうちのＤＭＲＳに占用されるシンボル数に基づいて前記アップリンク電力調整値を計算することとをさらに実現する、請求項３１に記載の移動通信端末。
【請求項３６】
前記プロセッサは、前記コンピュータプログラムを実行すると、
前記アップリンク電力調整値を以下の式で
【数９０】
2021503793.tif 000672
ここで、
【数９１】
2021503793.tif 000673
：前記アップリンク電力調整値；
【数９２】
2021503793.tif 000674
：前記第２ＰＵＣＣＨフォーマットに占用されるシンボル数；
【数９３】
2021503793.tif 000675
：前記第２ＰＵＣＣＨフォーマットのうちのＤＭＲＳに占用されるシンボル数；
【数９４】
2021503793.tif 000676
：前記第２ＰＵＣＣＨフォーマットに対応する参照係数；
計算することをさらに実現する、請求項３５に記載の移動通信端末。
【請求項３７】
前記
【数９５】
2021503793.tif 000677
の値は、所定値またはハイレイヤシグナリングによって設定された値である、請求項３６に記載の移動通信端末。
【請求項３８】
前記アップリンクチャネルフォーマットは、２ビットより大きい短いＰＵＣＣＨフォーマットである第３ＰＵＣＣＨフォーマットであり、
前記プロセッサは、前記コンピュータプログラムを実行すると、
前記第３ＰＵＣＣＨフォーマットに対応するＵＣＩのビット数、および、前記ＵＣＩを搬送するＲＥの数を取得することと、
アップリンク電力の制御を実現するように、前記ＵＣＩのビット数および前記ＲＥの数に基づいて前記アップリンク電力調整値を計算することとをさらに実現する、請求項３１に記載の移動通信端末。
【請求項３９】
前記プロセッサは、前記コンピュータプログラムを実行すると、
前記ＵＣＩのビット数が２より大きくかつ１１以下である場合、前記アップリンク電力調整値を以下の式で
【数９６】
2021503793.tif 000678
ここで、
【数９７】
2021503793.tif 000679
：前記アップリンク電力調整値；
【数９８】
2021503793.tif 000680
：前記ＵＣＩのビット数；
【数９９】
2021503793.tif 000681
：前記ＲＥの数であり、
【数１００】
2021503793.tif 000682
；
【数１０１】
2021503793.tif 000683
：前記第３ＰＵＣＣＨフォーマットに占用されるシンボル数；
【数１０２】
2021503793.tif 000684
：前記第３ＰＵＣＣＨフォーマットに占用される帯域幅；
ｋ：所定値；
計算することをさらに実現し、
前記ＵＣＩのビット数が１１より大きい場合、前記アップリンク電力調整値を以下の式で
【数１０３】
2021503793.tif 000685
ここで、
【数１０４】
2021503793.tif 000686
：前記アップリンク電力調整値；
【数１０５】
2021503793.tif 000687
：前記ＵＣＩのビット数；
【数１０６】
2021503793.tif 000688
：前記ＲＥの数であり、
【数１０７】
2021503793.tif 000689
；
【数１０８】
2021503793.tif 000690
：前記第３ＰＵＣＣＨフォーマットに占用されるシンボル数；
【数１０９】
2021503793.tif 000691
：前記第３ＰＵＣＣＨフォーマットに占用される帯域幅；
【数１１０】
2021503793.tif 000692
：ｐｏｌａｒ符号化ゲインの関連関数；
計算することをさらに実現する、請求項３８に記載の移動通信端末。
【請求項４０】
前記第３ＰＵＣＣＨフォーマットに占用される帯域幅は、サブキャリアの数で示され、
前記ｋの値の範囲は、３以上かつ７以下である、請求項３９に記載の移動通信端末。
【請求項４１】
前記アップリンクチャネルフォーマットは、２ビットより大きい短いＰＵＣＣＨフォーマットである第３ＰＵＣＣＨフォーマットであり、
前記プロセッサは、前記コンピュータプログラムを実行すると、
前記第３ＰＵＣＣＨフォーマットに対応するＵＣＩのビット数、前記ＵＣＩを搬送するＲＥの数、および、前記第３ＰＵＣＣＨフォーマットのホッピング設定パラメータを取得することと、
前記ホッピング設定パラメータは、ＰＵＣＣＨをホッピングＯＮに設定するパラメータ、または、ＰＵＣＣＨをホッピングＯＦＦに設定するパラメータを含み、
前記ＵＣＩのビット数、前記ＲＥの数および前記第３ＰＵＣＣＨフォーマットのホッピング設定パラメータに基づいて前記アップリンク電力調整値を計算することとをさらに実現する、請求項３１に記載の移動通信端末。
【請求項４２】
前記プロセッサは、前記コンピュータプログラムを実行すると、
前記ＵＣＩのビット数が２より大きくかつ１１以下である場合、前記アップリンク電力調整値を以下の式で
【数１１１】
2021503793.tif 000693
ここで、
【数１１２】
2021503793.tif 000694
：前記アップリンク電力調整値；
【数１１３】
2021503793.tif 000695
：前記ＵＣＩのビット数；
【数１１４】
2021503793.tif 000696
：前記ＲＥの数であり、
【数１１５】
2021503793.tif 000697
；
【数１１６】
2021503793.tif 000698
：前記第３ＰＵＣＣＨフォーマットに占用されるシンボル数；
【数１１７】
2021503793.tif 000699
：前記第３ＰＵＣＣＨフォーマットに占用される帯域幅；
ｋ：所定値；前記ｋの値は、前記第３ＰＵＣＣＨフォーマットのホッピング設定パラメータに関係し、または、前記第３ＰＵＣＣＨフォーマットのホッピング設定パラメータに関係せず；
計算することをさらに実現し、
前記ＵＣＩのビット数が１１より大きい場合、前記アップリンク電力調整値を以下の式で
【数１１８】
2021503793.tif 000700
ここで、
【数１１９】
2021503793.tif 000701
：前記アップリンク電力調整値；
【数１２０】
2021503793.tif 000702
：前記ＵＣＩのビット数；
【数１２１】
2021503793.tif 000703
：前記ＲＥの数であり、
【数１２２】
2021503793.tif 000704
；
【数１２３】
2021503793.tif 000705
：前記第３ＰＵＣＣＨフォーマットに占用されるシンボル数；
【数１２４】
2021503793.tif 000706
：前記第３ＰＵＣＣＨフォーマットに占用される帯域幅；
【数１２５】
2021503793.tif 000707
：ｐｏｌａｒ符号化ゲインの関連関数；
計算することをさらに実現する、請求項４１に記載の移動通信端末。
【請求項４３】
前記第３ＰＵＣＣＨフォーマットに占用される帯域幅は、サブキャリアの数で示され、
前記ｋの値が前記第３ＰＵＣＣＨフォーマットのホッピング設定パラメータに関係する場合、前記ｋの値の範囲として、
前記第３ＰＵＣＣＨフォーマットのホッピングＯＦＦの際に、前記ｋの値の範囲は、５以上かつ７以下であり、
前記第３ＰＵＣＣＨフォーマットのホッピングＯＮの際に、前記ｋの値の範囲は、３以上でありかつ５より小さく、
または、前記ｋの値が前記第３ＰＵＣＣＨフォーマットのホッピング設定パラメータに関係しない場合、前記ｋの値の範囲は、３以上かつ７以下である、請求項４２に記載の移動通信端末。
【請求項４４】
前記アップリンクチャネルフォーマットは、２ビットより大きい長いＰＵＣＣＨフォーマットである第４ＰＵＣＣＨフォーマットであり、
前記プロセッサは、前記コンピュータプログラムを実行すると、
前記第４ＰＵＣＣＨフォーマットに対応するＵＣＩのビット数、および、前記ＵＣＩを搬送するＲＥの数を取得することと、
アップリンク電力の制御を実現するように、前記ＵＣＩのビット数および前記ＲＥの数に基づいて前記アップリンク電力調整値を計算することとをさらに実現する、請求項３１に記載の移動通信端末。
【請求項４５】
前記プロセッサは、前記コンピュータプログラムを実行すると、
前記ＵＣＩのビット数が２より大きくかつ１１以下である場合、前記アップリンク電力調整値を以下の式で
【数１２６】
2021503793.tif 000708
ここで、
【数１２７】
2021503793.tif 000709
：前記アップリンク電力調整値；
【数１２８】
2021503793.tif 000710
：前記ＵＣＩのビット数；
【数１２９】
2021503793.tif 000711
：前記ＲＥの数であり、
【数１３０】
2021503793.tif 000712
；
【数１３１】
2021503793.tif 000713
：前記第４ＰＵＣＣＨフォーマットに占用されるシンボル数；
【数１３２】
2021503793.tif 000714
：前記第４ＰＵＣＣＨフォーマットのうちのＤＭＲＳに占用されるシンボル数；
【数１３３】
2021503793.tif 000715
：前記第４ＰＵＣＣＨフォーマットに占用される帯域幅；
ｋ：所定値；
計算することをさらに実現し、
前記ＵＣＩのビット数が１１より大きい場合、前記アップリンク電力調整値を以下の式で
【数１３４】
2021503793.tif 000716
ここで、
【数１３５】
2021503793.tif 000717
：前記アップリンク電力調整値；
【数１３６】
2021503793.tif 000718
：前記ＵＣＩのビット数；
【数１３７】
2021503793.tif 000719
：前記ＲＥの数であり、
【数１３８】
2021503793.tif 000720
；
【数１３９】
2021503793.tif 000721
：前記第４ＰＵＣＣＨフォーマットに占用されるシンボル数；
【数１４０】
2021503793.tif 000722
：前記第４ＰＵＣＣＨフォーマットのうちのＤＭＲＳに占用されるシンボル数；
【数１４１】
2021503793.tif 000723
：前記第４ＰＵＣＣＨフォーマットに占用される帯域幅；
【数１４２】
2021503793.tif 000724
：ｐｏｌａｒ符号化ゲインの関連関数；
計算することをさらに実現する、請求項４４に記載の移動通信端末。
【請求項４６】
前記第４ＰＵＣＣＨフォーマットに占用される帯域幅は、サブキャリアの数で示され、
前記ｋの値の範囲は、３以上かつ９以下である、請求項４５に記載の移動通信端末。
【請求項４７】
前記アップリンクチャネルフォーマットは、２ビットより大きい長いＰＵＣＣＨフォーマットである第４ＰＵＣＣＨフォーマットであり、
前記プロセッサは、前記コンピュータプログラムを実行すると、
前記第４ＰＵＣＣＨフォーマットに対応するＵＣＩのビット数、前記ＵＣＩを搬送するＲＥの数、および、前記第４ＰＵＣＣＨフォーマットのホッピング設定パラメータを取得することと、
前記ホッピング設定パラメータは、ＰＵＣＣＨをホッピングＯＮに設定するパラメータ、または、ＰＵＣＣＨをホッピングＯＦＦに設定するパラメータを含み、
前記ＵＣＩのビット数、前記ＲＥの数および前記第４ＰＵＣＣＨフォーマットのホッピング設定パラメータに基づいて前記アップリンク電力調整値を計算することとをさらに実現する、請求項３１に記載の移動通信端末。
【請求項４８】
前記プロセッサは、前記コンピュータプログラムを実行すると、
前記ＵＣＩのビット数が２より大きくかつ１１以下である場合、前記アップリンク電力調整値を以下の式で
【数１４３】
2021503793.tif 000725
ここで、
【数１４４】
2021503793.tif 000726
：前記アップリンク電力調整値；
【数１４５】
2021503793.tif 000727
：前記ＵＣＩのビット数；
【数１４６】
2021503793.tif 000728
：前記ＲＥの数であり、
【数１４７】
2021503793.tif 000729
；
【数１４８】
2021503793.tif 000730
：前記第４ＰＵＣＣＨフォーマットに占用されるシンボル数；
【数１４９】
2021503793.tif 000731
：前記第４ＰＵＣＣＨフォーマットのうちのＤＭＲＳに占用されるシンボル数；
【数１５０】
2021503793.tif 000732
：前記第４ＰＵＣＣＨフォーマットに占用される帯域幅；
ｋ：所定値；前記ｋの値は、前記第４ＰＵＣＣＨフォーマットのホッピング設定パラメータに関係し、または、前記第４ＰＵＣＣＨフォーマットのホッピング設定パラメータに関係せず；
計算することをさらに実現し、
前記ＵＣＩのビット数が１１より大きい場合、前記アップリンク電力調整値を以下の式で
【数１５１】
2021503793.tif 000733
ここで、
【数１５２】
2021503793.tif 000734
：前記アップリンク電力調整値；
【数１５３】
2021503793.tif 000735
：前記ＵＣＩのビット数；
【数１５４】
2021503793.tif 000736
：前記ＲＥの数であり、
【数１５５】
2021503793.tif 000737
；
【数１５６】
2021503793.tif 000738
：前記第４ＰＵＣＣＨフォーマットに占用されるシンボル数；
【数１５７】
2021503793.tif 000739
：前記第４ＰＵＣＣＨフォーマットのうちのＤＭＲＳに占用されるシンボル数；
【数１５８】
2021503793.tif 000740
：前記第４ＰＵＣＣＨフォーマットに占用される帯域幅；
【数１５９】
2021503793.tif 000741
：ｐｏｌａｒ符号化ゲインの関連関数；
計算することをさらに実現する、請求項４７に記載の移動通信端末。
【請求項４９】
前記第４ＰＵＣＣＨフォーマットに占用される帯域幅は、サブキャリアの数で示され、
前記ｋの値が前記第４ＰＵＣＣＨフォーマットのホッピング設定パラメータに関係する場合、前記ｋの値の範囲として、
前記第４ＰＵＣＣＨフォーマットのホッピングＯＦＦの際に、前記ｋの値の範囲は、７以上かつ９以下であり、
前記第４ＰＵＣＣＨフォーマットのホッピングＯＮの際に、前記ｋの値の範囲は、３以上でありかつ５より小さく、
または、前記ｋの値が前記第４ＰＵＣＣＨフォーマットのホッピング設定パラメータに関係しない場合、前記ｋの値の範囲は、３以上かつ９以下である、請求項４８に記載の移動通信端末。
【請求項５０】
前記第４ＰＵＣＣＨフォーマットは、ユーザ多重化をサポートするＰＵＣＣＨフォーマットと、ユーザ多重化をサポートしないＰＵＣＣＨフォーマットの２種類を含む、請求項４４に記載の移動通信端末。
【請求項５１】
前記アップリンクチャネルフォーマットは、２ビットより大きい短いＰＵＣＣＨフォーマットである第３ＰＵＣＣＨフォーマット、または、２ビットより大きい長いＰＵＣＣＨフォーマットである第４ＰＵＣＣＨフォーマットであり、
前記プロセッサは、前記コンピュータプログラムを実行すると、
ＰＵＣＣＨフォーマットに対応するＵＣＩのビット数、および、前記ＵＣＩを搬送するＲＥの数を取得することと、
前記ＵＣＩのビット数および前記ＲＥの数に基づいて前記アップリンク電力調整値を計算することとをさらに実現する、請求項３１に記載の移動通信端末。
【請求項５２】
前記プロセッサは、前記コンピュータプログラムを実行すると、
前記ＵＣＩのビット数が２より大きくかつ１１以下である場合、前記アップリンク電力調整値を以下の式：
【数１６０】
2021503793.tif 000742
ここで、
【数１６１】
2021503793.tif 000743
：前記アップリンク電力調整値；
【数１６２】
2021503793.tif 000744
：前記ＵＣＩのビット数；
【数１６３】
2021503793.tif 000745
：前記ＲＥの数；
ここで、ＰＵＣＣＨが第３ＰＵＣＣＨフォーマットである場合、
【数１６４】
2021503793.tif 000746
；ＰＵＣＣＨが第４ＰＵＣＣＨフォーマットである場合、
【数１６５】
2021503793.tif 000747
；
【数１６６】
2021503793.tif 000748
：前記ＰＵＣＣＨに占用されるシンボル数；
【数１６７】
2021503793.tif 000749
：前記ＰＵＣＣＨのうちのＤＭＲＳに占用されるシンボル数；
【数１６８】
2021503793.tif 000750
：前記ＰＵＣＣＨに占用される帯域幅；
ｋ：所定値；
計算することをさらに実現する、請求項５１に記載の移動通信端末。
【請求項５３】
前記ＰＵＣＣＨに占用される帯域幅は、サブキャリアの数で示され、
前記ｋの値の範囲は、３以上かつ９以下である、請求項５２に記載の移動通信端末。
【請求項５４】
コンピュータプログラムを格納するためのコンピュータ読み取り可能な記憶媒体であって、
前記コンピュータプログラムがプロセッサによって実行されると、請求項１〜２３のいずれか一項に記載の方法のことが実現される、コンピュータ読み取り可能な記憶媒体。
【発明の詳細な説明】
【技術分野】
【０００１】
本願は、２０１７年１１月１７日に中国特許庁に提出された中国特許出願２０１７１１１４６１０６．２の優先権、２０１８年１月１１日に中国特許庁に提出された中国特許出願２０１８１００２７４５６．５の優先権、２０１８年１月１２日に中国特許庁に提出された中国特許出願２０１８１００３１３６１．０の優先権、および、２０１８年３月９日に中国特許庁に提出された中国特許出願２０１８１０１９５７３５．２の優先権を主張し、それらの全ての内容が援用によりここに取り込まれる。
本開示は、通信技術分野に係り、特にアップリンク電力制御方法および移動通信端末に係る。
【背景技術】
【０００２】
移動通信のトラフィックニーズの発展および変化に伴い、ＩＴＵ（Ｉｎｔｅｒｎａｔｉｏｎａｌ  Ｔｅｌｅｃｏｍｍｕｎｉｃａｔｉｏｎ  Ｕｎｉｏｎ）や３ＧＰＰ（登録商標）（３ｒｄ  Ｇｅｎｅｒａｔｉｏｎ  Ｐａｒｔｎｅｒｓｈｉｐ  Ｐｒｏｊｅｃｔ）などの機構では、５Ｇ  ＮＲ（５  Ｇｅｎｅｒａｔｉｏｎ  Ｎｅｗ  ＲＡＴ）など、新規ＮＲ（Ｎｅｗ  ＲＡＴ）の研究を始めている。現在、将来のＮＲについて、アップリンク電力の制御をどのように行うかは、まだ具体的な手段がない。
【０００３】
ＬＴＥ（登録商標）（Ｌｏｎｇ  Ｔｅｒｍ  Ｅｖｏｌｕｔｉｏｎ）無線通信システムにおいて、キャリアｃのｓｌｏｔ  ｉでのＰＵＣＣＨ（Ｐｈｙｓｉｃａｌ  Ｕｐｌｉｎｋ  Ｃｏｎｔｒｏｌ  ＣＨａｎｎｅｌ）に対し、以下の式で電力制御を行うことができる。
【数１】
2021503793.tif 000003
ここで、
【数２】
2021503793.tif 000004
は、ＰＵＣＣＨの電力調整値を示す。当該調整値は、ＰＵＣＣＨの伝送フォーマットに関係する。
【０００４】
ＮＲとＬＴＥのＰＵＣＣＨフォーマットは、ビット範囲や符号化方式などの面で相違が存在するため、ＬＴＥのＰＵＣＣＨ電力制御方式がＮＲに適用できない。ＬＴＥにおける
【数３】
2021503793.tif 000005
の定義をＮＲで再利用すると、ＮＲにおけるＰＵＣＣＨの伝送性能を低下させる可能性がある。
【発明の概要】
【発明が解決しようとする課題】
【０００５】
これに鑑みて、本開示は、アップリンク電力制御方法および移動通信端末を提供し、ＮＲとＬＴＥのＰＵＣＣＨフォーマットの相違によってＬＴＥのＰＵＣＣＨ電力制御方式がＮＲに適用できない問題を解決しようとする。
【課題を解決するための手段】
【０００６】
上記技術課題を解決するために、本開示は、アップリンク電力制御方法を提供する。
前記アップリンク電力制御方法は、
アップリンクチャネルフォーマットに対応するアップリンク伝送パラメータを取得することと、
アップリンク電力の制御を実現するように、前記アップリンク伝送パラメータに基づいてアップリンク電力調整値を計算することと、
を含む。
【０００７】
選択可能に、前記アップリンクチャネルフォーマットは、２ビット以下の短いＰＵＣＣＨフォーマットである第１ＰＵＣＣＨフォーマットであり、
前記のアップリンクチャネルフォーマットに対応するアップリンク伝送パラメータを取得することは、
前記第１ＰＵＣＣＨフォーマットに占用されるシンボル数を取得することを含み、
前記の前記アップリンク伝送パラメータに基づいてアップリンク電力調整値を計算することは、
前記第１ＰＵＣＣＨフォーマットに占用されるシンボル数に基づいて前記アップリンク電力調整値を計算することを含む。
【０００８】
選択可能に、前記の前記第１ＰＵＣＣＨフォーマットに占用されるシンボル数に基づいて前記アップリンク電力調整値を計算することは、
前記アップリンク電力調整値を以下の式で
【数４】
2021503793.tif 000006
ここで、
【数５】
2021503793.tif 000007
：前記アップリンク電力調整値；
【数６】
2021503793.tif 000008
：前記第１ＰＵＣＣＨフォーマットに占用されるシンボル数；
【数７】
2021503793.tif 000009
：前記第１ＰＵＣＣＨフォーマットに対応する参照係数；
計算することを含む。
【０００９】
選択可能に、前記
【数８】
2021503793.tif 000010
の値は、所定値またはハイレイヤシグナリングによって設定された値である。
【００１０】
選択可能に、前記アップリンクチャネルフォーマットは、２ビット以下の長いＰＵＣＣＨフォーマットである第２ＰＵＣＣＨフォーマットであり、
前記のアップリンクチャネルフォーマットに対応するアップリンク伝送パラメータを取得することは、
前記第２ＰＵＣＣＨフォーマットに占用されるシンボル数、および、前記第２ＰＵＣＣＨフォーマットのうちのＤＭＲＳに占用されるシンボル数を取得することを含み、
前記の前記アップリンク伝送パラメータに基づいてアップリンク電力調整値を計算することは、
前記第２ＰＵＣＣＨフォーマットに占用されるシンボル数、および、前記第２ＰＵＣＣＨフォーマットのうちのＤＭＲＳに占用されるシンボル数に基づいて前記アップリンク電力調整値を計算することを含む。
【００１１】
選択可能に、前記の前記第２ＰＵＣＣＨフォーマットに占用されるシンボル数、および、前記第２ＰＵＣＣＨフォーマットのうちのＤＭＲＳに占用されるシンボル数に基づいて前記アップリンク電力調整値を計算することは、
前記アップリンク電力調整値を以下の式で
【数９】
2021503793.tif 000011
ここで、
【数１０】
2021503793.tif 000012
：前記アップリンク電力調整値；
【数１１】
2021503793.tif 000013
：前記第２ＰＵＣＣＨフォーマットに占用されるシンボル数；
【数１２】
2021503793.tif 000014
：前記第２ＰＵＣＣＨフォーマットのうちのＤＭＲＳに占用されるシンボル数；
【数１３】
2021503793.tif 000015
：前記第２ＰＵＣＣＨフォーマットに対応する参照係数；
計算することを含む。
【００１２】
選択可能に、前記
【数１４】
2021503793.tif 000016
の値は、所定値またはハイレイヤシグナリングによって設定された値である。
【００１３】
選択可能に、前記アップリンクチャネルフォーマットは、２ビットより大きい短いＰＵＣＣＨフォーマットである第３ＰＵＣＣＨフォーマットであり、
前記のアップリンクチャネルフォーマットに対応するアップリンク伝送パラメータを取得することは、
前記第３ＰＵＣＣＨフォーマットに対応するアップリンク制御信号ＵＣＩのビット数、および、前記ＵＣＩを搬送するリソースエレメントＲＥの数を取得することを含み、
前記の前記アップリンク伝送パラメータに基づいてアップリンク電力調整値を計算することは、
前記ＵＣＩのビット数および前記ＲＥの数に基づいて前記アップリンク電力調整値を計算することを含む。
【００１４】
選択可能に、前記の前記ＵＣＩのビット数および前記ＲＥの数に基づいて前記アップリンク電力調整値を計算することは、
前記ＵＣＩのビット数が２より大きくかつ１１以下である場合、前記アップリンク電力調整値を以下の式で
【数１５】
2021503793.tif 000017
ここで、
【数１６】
2021503793.tif 000018
：前記アップリンク電力調整値；
【数１７】
2021503793.tif 000019
：前記ＵＣＩのビット数；
【数１８】
2021503793.tif 000020
：前記ＲＥの数であり、
【数１９】
2021503793.tif 000021
；
【数２０】
2021503793.tif 000022
：前記第３ＰＵＣＣＨフォーマットに占用されるシンボル数；
【数２１】
2021503793.tif 000023
：前記第３ＰＵＣＣＨフォーマットに占用される帯域幅；
ｋ：所定値；
計算することを含み、
前記ＵＣＩのビット数が１１より大きい場合、前記アップリンク電力調整値を以下の式で
【数２２】
2021503793.tif 000024
ここで、
【数２３】
2021503793.tif 000025
：前記アップリンク電力調整値；
【数２４】
2021503793.tif 000026
：前記ＵＣＩのビット数；
【数２５】
2021503793.tif 000027
：前記ＲＥの数であり、
【数２６】
2021503793.tif 000028
；
【数２７】
2021503793.tif 000029
：前記第３ＰＵＣＣＨフォーマットに占用されるシンボル数；
【数２８】
2021503793.tif 000030
：前記第３ＰＵＣＣＨフォーマットに占用される帯域幅；
【数２９】
2021503793.tif 000031
：ｐｏｌａｒ符号化ゲインの関連関数；
計算することを含む。
【００１５】
選択可能に、前記第３ＰＵＣＣＨフォーマットに占用される帯域幅は、サブキャリアの数で示され、
前記ｋの値の範囲は、３以上かつ７以下である。
【００１６】
選択可能に、前記アップリンクチャネルフォーマットは、２ビットより大きい短いＰＵＣＣＨフォーマットである第３ＰＵＣＣＨフォーマットであり、
前記のアップリンクチャネルフォーマットに対応するアップリンク伝送パラメータを取得することは、
前記第３ＰＵＣＣＨフォーマットに対応するＵＣＩのビット数、前記ＵＣＩを搬送するＲＥの数、および、前記第３ＰＵＣＣＨフォーマットのホッピング設定パラメータを取得することを含み、
前記ホッピング設定パラメータは、ＰＵＣＣＨをホッピングＯＮに設定するパラメータ、または、ＰＵＣＣＨをホッピングＯＦＦに設定するパラメータを含み、
前記の前記アップリンク伝送パラメータに基づいてアップリンク電力調整値を計算することは、
前記ＵＣＩのビット数、前記ＲＥの数および前記第３ＰＵＣＣＨフォーマットのホッピング設定パラメータに基づいて前記アップリンク電力調整値を計算することを含む。
【００１７】
選択可能に、前記の前記ＵＣＩのビット数、前記ＲＥの数および前記第３ＰＵＣＣＨフォーマットのホッピング設定パラメータに基づいて前記アップリンク電力調整値を計算することは、
前記ＵＣＩのビット数が２より大きくかつ１１以下である場合、前記アップリンク電力調整値を以下の式で
【数３０】
2021503793.tif 000032
ここで、
【数３１】
2021503793.tif 000033
：前記アップリンク電力調整値；
【数３２】
2021503793.tif 000034
：前記ＵＣＩのビット数；
【数３３】
2021503793.tif 000035
：前記ＲＥの数であり、
【数３４】
2021503793.tif 000036
；
【数３５】
2021503793.tif 000037
：前記第３ＰＵＣＣＨフォーマットに占用されるシンボル数；
【数３６】
2021503793.tif 000038
：前記第３ＰＵＣＣＨフォーマットに占用される帯域幅；
ｋ：所定値；前記ｋの値は、前記第３ＰＵＣＣＨフォーマットのホッピング設定パラメータに関係し、または、前記第３ＰＵＣＣＨフォーマットのホッピング設定パラメータに関係しなく；
計算することを含み、
前記ＵＣＩのビット数が１１より大きい場合、前記アップリンク電力調整値を以下の式で
【数３７】
2021503793.tif 000039
ここで、
【数３８】
2021503793.tif 000040
：前記アップリンク電力調整値；
【数３９】
2021503793.tif 000041
：前記ＵＣＩのビット数；
【数４０】
2021503793.tif 000042
：前記ＲＥの数であり、
【数４１】
2021503793.tif 000043
；
【数４２】
2021503793.tif 000044
：前記第３ＰＵＣＣＨフォーマットに占用されるシンボル数；
【数４３】
2021503793.tif 000045
：前記第３ＰＵＣＣＨフォーマットに占用される帯域幅；
【数４４】
2021503793.tif 000046
：ｐｏｌａｒ符号化ゲインの関連関数；
計算することを含む。
【００１８】
選択可能に、前記第３ＰＵＣＣＨフォーマットに占用される帯域幅は、サブキャリアの数で示され、
前記ｋの値が前記第３ＰＵＣＣＨフォーマットのホッピング設定パラメータに関係する場合、前記ｋの値の範囲として、
前記第３ＰＵＣＣＨフォーマットのホッピングＯＦＦの際に、前記ｋの値の範囲は、５以上かつ７以下であり、
前記第３ＰＵＣＣＨフォーマットのホッピングＯＮの際に、前記ｋの値の範囲は、３以上でありかつ５より小さく、
または、前記ｋの値が前記第３ＰＵＣＣＨフォーマットのホッピング設定パラメータに関係しない場合、前記ｋの値の範囲は、３以上かつ７以下である。
【００１９】
選択可能に、前記アップリンクチャネルフォーマットは、２ビットより大きい長いＰＵＣＣＨフォーマットである第４ＰＵＣＣＨフォーマットであり、
前記のアップリンクチャネルフォーマットに対応するアップリンク伝送パラメータを取得することは、
前記第４ＰＵＣＣＨフォーマットに対応するＵＣＩのビット数、および、前記ＵＣＩを搬送するＲＥの数を取得することを含み、
前記の前記アップリンク伝送パラメータに基づいてアップリンク電力調整値を計算することは、
前記ＵＣＩのビット数および前記ＲＥの数に基づいて前記アップリンク電力調整値を計算することを含む。
【００２０】
選択可能に、前記の前記ＵＣＩのビット数および前記ＲＥの数に基づいて前記アップリンク電力調整値を計算することは、
前記ＵＣＩのビット数が２より大きくかつ１１以下である場合、前記アップリンク電力調整値を以下の式で
【数４５】
2021503793.tif 000047
ここで、
【数４６】
2021503793.tif 000048
：前記アップリンク電力調整値；
【数４７】
2021503793.tif 000049
：前記ＵＣＩのビット数；
【数４８】
2021503793.tif 000050
：前記ＲＥの数であり、
【数４９】
2021503793.tif 000051
；
【数５０】
2021503793.tif 000052
：前記第４ＰＵＣＣＨフォーマットに占用されるシンボル数；
【数５１】
2021503793.tif 000053
：前記第４ＰＵＣＣＨフォーマットのうちのＤＭＲＳに占用されるシンボル数；
【数５２】
2021503793.tif 000054
：前記第４ＰＵＣＣＨフォーマットに占用される帯域幅；
ｋ：所定値；
計算することを含み、
前記ＵＣＩのビット数が１１より大きい場合、前記アップリンク電力調整値を以下の式で
【数５３】
2021503793.tif 000055
ここで、
【数５４】
2021503793.tif 000056
：前記アップリンク電力調整値；
【数５５】
2021503793.tif 000057
：前記ＵＣＩのビット数；
【数５６】
2021503793.tif 000058
：前記ＲＥの数であり、
【数５７】
2021503793.tif 000059
；
【数５８】
2021503793.tif 000060
：前記第４ＰＵＣＣＨフォーマットに占用されるシンボル数；
【数５９】
2021503793.tif 000061
：前記第４ＰＵＣＣＨフォーマットのうちのＤＭＲＳに占用されるシンボル数；
【数６０】
2021503793.tif 000062
：前記第４ＰＵＣＣＨフォーマットに占用される帯域幅；
【数６１】
2021503793.tif 000063
：ｐｏｌａｒ符号化ゲインの関連関数；
計算することを含む。
【００２１】
選択可能に、前記第４ＰＵＣＣＨフォーマットに占用される帯域幅は、サブキャリアの数で示され、
前記ｋの値の範囲は、３以上かつ９以下である。
【００２２】
選択可能に、前記アップリンクチャネルフォーマットは、２ビットより大きい長いＰＵＣＣＨフォーマットである第４ＰＵＣＣＨフォーマットであり、
前記のアップリンクチャネルフォーマットに対応するアップリンク伝送パラメータを取得することは、
前記第４ＰＵＣＣＨフォーマットに対応するＵＣＩのビット数、前記ＵＣＩを搬送するＲＥの数、および、前記第４ＰＵＣＣＨフォーマットのホッピング設定パラメータを取得することを含み、
前記ホッピング設定パラメータは、ＰＵＣＣＨをホッピングＯＮに設定するパラメータ、または、ＰＵＣＣＨをホッピングＯＦＦに設定するパラメータを含み、
前記の前記アップリンク伝送パラメータに基づいてアップリンク電力調整値を計算することは、
前記ＵＣＩのビット数、前記ＲＥの数および前記第４ＰＵＣＣＨフォーマットのホッピング設定パラメータに基づいて前記アップリンク電力調整値を計算することを含む。
【００２３】
選択可能に、前記の前記ＵＣＩのビット数、前記ＲＥの数および前記第４ＰＵＣＣＨフォーマットのホッピング設定パラメータに基づいて前記アップリンク電力調整値を計算することは、
前記ＵＣＩのビット数が２より大きくかつ１１以下である場合、前記アップリンク電力調整値を以下の式で
【数６２】
2021503793.tif 000064
ここで、
【数６３】
2021503793.tif 000065
：前記アップリンク電力調整値；
【数６４】
2021503793.tif 000066
：前記ＵＣＩのビット数；
【数６５】
2021503793.tif 000067
：前記ＲＥの数であり、
【数６６】
2021503793.tif 000068
；
【数６７】
2021503793.tif 000069
：前記第４ＰＵＣＣＨフォーマットに占用されるシンボル数；
【数６８】
2021503793.tif 000070
：前記第４ＰＵＣＣＨフォーマットのうちのＤＭＲＳに占用されるシンボル数；
【数６９】
2021503793.tif 000071
：前記第４ＰＵＣＣＨフォーマットに占用される帯域幅；
ｋ：所定値；前記ｋの値は、前記第４ＰＵＣＣＨフォーマットのホッピング設定パラメータに関係し、または、前記第４ＰＵＣＣＨフォーマットのホッピング設定パラメータに関係しなく；
計算することを含み、
前記ＵＣＩのビット数が１１より大きい場合、前記アップリンク電力調整値を以下の式で
【数７０】
2021503793.tif 000072
ここで、
【数７１】
2021503793.tif 000073
：前記アップリンク電力調整値；
【数７２】
2021503793.tif 000074
：前記ＵＣＩのビット数；
【数７３】
2021503793.tif 000075
：前記ＲＥの数であり、
【数７４】
2021503793.tif 000076
；
【数７５】
2021503793.tif 000077
：前記第４ＰＵＣＣＨフォーマットに占用されるシンボル数；
【数７６】
2021503793.tif 000078
：前記第４ＰＵＣＣＨフォーマットのうちのＤＭＲＳに占用されるシンボル数；
【数７７】
2021503793.tif 000079
：前記第４ＰＵＣＣＨフォーマットに占用される帯域幅；
【数７８】
2021503793.tif 000080
：ｐｏｌａｒ符号化ゲインの関連関数；
計算することを含む。
【００２４】
選択可能に、前記第４ＰＵＣＣＨフォーマットに占用される帯域幅は、サブキャリアの数で示され、
前記ｋの値が前記第４ＰＵＣＣＨフォーマットのホッピング設定パラメータに関係する場合、前記ｋの値の範囲として、
前記第４ＰＵＣＣＨフォーマットのホッピングＯＦＦの際に、前記ｋの値の範囲は、７以上かつ９以下であり、
前記第４ＰＵＣＣＨフォーマットのホッピングＯＮの際に、前記ｋの値の範囲は、３以上でありかつ５より小さく、
または、前記ｋの値が前記第４ＰＵＣＣＨフォーマットのホッピング設定パラメータに関係しない場合、前記ｋの値の範囲は、３以上かつ９以下である。
【００２５】
選択可能に、前記第４ＰＵＣＣＨフォーマットは、ユーザ多重化をサポートするＰＵＣＣＨフォーマットと、ユーザ多重化をサポートしないＰＵＣＣＨフォーマットの２種類を含む。
【００２６】
選択可能に、前記アップリンクチャネルフォーマットは、２ビットより大きい短いＰＵＣＣＨフォーマットである第３ＰＵＣＣＨフォーマット、または、２ビットより大きい長いＰＵＣＣＨフォーマットである第４ＰＵＣＣＨフォーマットであり、
前記のアップリンクチャネルフォーマットに対応するアップリンク伝送パラメータを取得することは、
ＰＵＣＣＨフォーマットに対応するＵＣＩのビット数、および、前記ＵＣＩを搬送するＲＥの数を取得することを含み、
前記の前記アップリンク伝送パラメータに基づいてアップリンク電力調整値を計算することは、
前記ＵＣＩのビット数および前記ＲＥの数に基づいて前記アップリンク電力調整値を計算することを含む。
【００２７】
選択可能に、前記の前記ＵＣＩのビット数および前記ＲＥの数に基づいて前記アップリンク電力調整値を計算することは、
前記ＵＣＩのビット数が２より大きくかつ１１以下である場合、前記アップリンク電力調整値を以下の式で
【数７９】
2021503793.tif 000081
ここで、
【数８０】
2021503793.tif 000082
：前記アップリンク電力調整値；
【数８１】
2021503793.tif 000083
：前記ＵＣＩのビット数；
【数８２】
2021503793.tif 000084
：前記ＲＥの数；
ここで、ＰＵＣＣＨが第３ＰＵＣＣＨフォーマットである場合、
【数８３】
2021503793.tif 000085
；ＰＵＣＣＨが第４ＰＵＣＣＨフォーマットである場合、
【数８４】
2021503793.tif 000086
；
【数８５】
2021503793.tif 000087
：前記ＰＵＣＣＨに占用されるシンボル数；
【数８６】
2021503793.tif 000088
：前記ＰＵＣＣＨのうちのＤＭＲＳに占用されるシンボル数；
【数８７】
2021503793.tif 000089
：前記ＰＵＣＣＨに占用される帯域幅；
ｋ：所定値；
計算することを含む。
【００２８】
選択可能に、前記ＰＵＣＣＨに占用される帯域幅は、サブキャリアの数で示され、
前記ｋの値の範囲は、３以上かつ９以下である。
【００２９】
本開示は、移動通信端末をさらに提供する。
前記移動通信端末は、
アップリンクチャネルフォーマットに対応するアップリンク伝送パラメータを取得するための取得モジュールと、
アップリンク電力の制御を実現するように、前記アップリンク伝送パラメータに基づいてアップリンク電力調整値を計算するための計算モジュールと、
を含む。
【００３０】
選択可能に、前記アップリンクチャネルフォーマットは、２ビット以下の短いＰＵＣＣＨフォーマットである第１ＰＵＣＣＨフォーマットであり、
前記取得モジュールは、具体的に、
前記第１ＰＵＣＣＨフォーマットに占用されるシンボル数を取得することに用いられ、
前記計算モジュールは、具体的に、
アップリンク電力の制御を実現するように、前記第１ＰＵＣＣＨフォーマットに占用されるシンボル数に基づいて前記アップリンク電力調整値を計算することに用いられる。
【００３１】
選択可能に、前記計算モジュールは、具体的に、
前記アップリンク電力調整値を以下の式で
【数８８】
2021503793.tif 000090
ここで、
【数８９】
2021503793.tif 000091
：前記アップリンク電力調整値；
【数９０】
2021503793.tif 000092
：前記第１ＰＵＣＣＨフォーマットに占用されるシンボル数；
【数９１】
2021503793.tif 000093
：前記第１ＰＵＣＣＨフォーマットに対応する参照係数；
で計算することに用いられる。
【００３２】
選択可能に、前記
【数９２】
2021503793.tif 000094
の値は、所定値またはハイレイヤシグナリングによって設定された値である。
【００３３】
選択可能に、前記アップリンクチャネルフォーマットは、２ビット以下の長いＰＵＣＣＨフォーマットである第２ＰＵＣＣＨフォーマットであり、
前記取得モジュールは、具体的に、
前記第２ＰＵＣＣＨフォーマットに占用されるシンボル数、および、前記第２ＰＵＣＣＨフォーマットのうちのＤＭＲＳに占用されるシンボル数を取得することに用いられ、
前記計算モジュールは、具体的に、
アップリンク電力の制御を実現するように、前記第２ＰＵＣＣＨフォーマットに占用されるシンボル数、および、前記第２ＰＵＣＣＨフォーマットのうちのＤＭＲＳに占用されるシンボル数に基づいて前記アップリンク電力調整値を計算することに用いられる。
【００３４】
選択可能に、前記計算モジュールは、具体的に、
前記アップリンク電力調整値を以下の式で
【数９３】
2021503793.tif 000095
ここで、
【数９４】
2021503793.tif 000096
：前記アップリンク電力調整値；
【数９５】
2021503793.tif 000097
：前記第２ＰＵＣＣＨフォーマットに占用されるシンボル数
；
【数９６】
2021503793.tif 000098
：前記第２ＰＵＣＣＨフォーマットのうちのＤＭＲＳに占用されるシンボル数；
【数９７】
2021503793.tif 000099
：前記第２ＰＵＣＣＨフォーマットに対応する参照係数；
計算することに用いられる。
【００３５】
選択可能に、前記
【数９８】
2021503793.tif 000100
の値は、所定値またはハイレイヤシグナリングによって設定された値である。
【００３６】
選択可能に、前記アップリンクチャネルフォーマットは、２ビットより大きい短いＰＵＣＣＨフォーマットである第３ＰＵＣＣＨフォーマットであり、
前記取得モジュールは、具体的に、
前記第３ＰＵＣＣＨフォーマットに対応するアップリンク制御信号ＵＣＩのビット数、および、前記ＵＣＩを搬送するリソースエレメントＲＥの数を取得することに用いられ、
前記計算モジュールは、具体的に、
アップリンク電力の制御を実現するように、前記ＵＣＩのビット数および前記ＲＥの数に基づいて前記アップリンク電力調整値を計算することに用いられる。
【００３７】
選択可能に、前記計算モジュールは、具体的に、
前記ＵＣＩのビット数が２より大きくかつ１１以下である場合、前記アップリンク電力調整値を以下の式で
【数９９】
2021503793.tif 000101
ここで、
【数１００】
2021503793.tif 000102
：前記アップリンク電力調整値；
【数１０１】
2021503793.tif 000103
：前記ＵＣＩのビット数；
【数１０２】
2021503793.tif 000104
：前記ＲＥの数であり、
【数１０３】
2021503793.tif 000105
；
【数１０４】
2021503793.tif 000106
：前記第３ＰＵＣＣＨフォーマットに占用されるシンボル数；
【数１０５】
2021503793.tif 000107
：前記第３ＰＵＣＣＨフォーマットに占用される帯域幅；
ｋ：所定値；
計算することに用いられ、
前記ＵＣＩのビット数が１１より大きい場合、前記アップリンク電力調整値を以下の式で
【数１０６】
2021503793.tif 000108
ここで、
【数１０７】
2021503793.tif 000109
：前記アップリンク電力調整値；
【数１０８】
2021503793.tif 000110
：前記ＵＣＩのビット数；
【数１０９】
2021503793.tif 000111
：前記ＲＥの数であり、
【数１１０】
2021503793.tif 000112
；
【数１１１】
2021503793.tif 000113
：前記第３ＰＵＣＣＨフォーマットに占用されるシンボル数；
【数１１２】
2021503793.tif 000114
：前記第３ＰＵＣＣＨフォーマットに占用される帯域幅；
【数１１３】
2021503793.tif 000115
：ｐｏｌａｒ符号化ゲインの関連関数；
計算することに用いられる。
【００３８】
選択可能に、前記第３ＰＵＣＣＨフォーマットに占用される帯域幅は、サブキャリアの数で示され、
前記ｋの値の範囲は、３以上かつ７以下である。
【００３９】
選択可能に、前記アップリンクチャネルフォーマットは、２ビットより大きい短いＰＵＣＣＨフォーマットである第３ＰＵＣＣＨフォーマットであり、
前記取得モジュールは、具体的に、
前記第３ＰＵＣＣＨフォーマットに対応するＵＣＩのビット数、前記ＵＣＩを搬送するＲＥの数、および、前記第３ＰＵＣＣＨフォーマットのホッピング設定パラメータを取得することに用いられ、
前記ホッピング設定パラメータは、
ＰＵＣＣＨをホッピングＯＮに設定するパラメータ、または、ＰＵＣＣＨをホッピングＯＦＦに設定するパラメータを含み、
前記計算モジュールは、具体的に、
前記ＵＣＩのビット数、前記ＲＥの数および前記第３ＰＵＣＣＨフォーマットのホッピング設定パラメータに基づいて前記アップリンク電力調整値を計算することに用いられる。
【００４０】
選択可能に、前記計算モジュールは、具体的に、
前記ＵＣＩのビット数が２より大きくかつ１１以下である場合、前記アップリンク電力調整値を以下の式で
【数１１４】
2021503793.tif 000116
ここで、
【数１１５】
2021503793.tif 000117
：前記アップリンク電力調整値；
【数１１６】
2021503793.tif 000118
：前記ＵＣＩのビット数；
【数１１７】
2021503793.tif 000119
：前記ＲＥの数であり、
【数１１８】
2021503793.tif 000120
；
【数１１９】
2021503793.tif 000121
：前記第３ＰＵＣＣＨフォーマットに占用されるシンボル数；
【数１２０】
2021503793.tif 000122
：前記第３ＰＵＣＣＨフォーマットに占用される帯域幅；
ｋ：所定値；前記ｋの値は、前記第３ＰＵＣＣＨフォーマットのホッピング設定パラメータに関係し、または、前記第３ＰＵＣＣＨフォーマットのホッピング設定パラメータに関係しなく；
計算することに用いられ、
前記ＵＣＩのビット数が１１より大きい場合、前記アップリンク電力調整値を以下の式で
【数１２１】
2021503793.tif 000123
ここで、
【数１２２】
2021503793.tif 000124
：前記アップリンク電力調整値；
【数１２３】
2021503793.tif 000125
：前記ＵＣＩのビット数；
【数１２４】
2021503793.tif 000126
：前記ＲＥの数であり、
【数１２５】
2021503793.tif 000127
；
【数１２６】
2021503793.tif 000128
：前記第３ＰＵＣＣＨフォーマットに占用されるシンボル数；
【数１２７】
2021503793.tif 000129
：前記第３ＰＵＣＣＨフォーマットに占用される帯域幅；
【数１２８】
2021503793.tif 000130
：ｐｏｌａｒ符号化ゲインの関連関数；
計算することに用いられる。
【００４１】
選択可能に、前記第３ＰＵＣＣＨフォーマットに占用される帯域幅は、サブキャリアの数で示され、
前記ｋの値が前記第３ＰＵＣＣＨフォーマットのホッピング設定パラメータに関係する場合、前記ｋの値の範囲として、
前記第３ＰＵＣＣＨフォーマットのホッピングＯＦＦの際に、前記ｋの値の範囲は、５以上かつ７以下であり、
前記第３ＰＵＣＣＨフォーマットのホッピングＯＮの際に、前記ｋの値の範囲は、３以上でありかつ５より小さく、
または、前記ｋの値が前記第３ＰＵＣＣＨフォーマットのホッピング設定パラメータに関係しない場合、前記ｋの値の範囲は、３以上かつ７以下である。
【００４２】
選択可能に、前記アップリンクチャネルフォーマットは、２ビットより大きい長いＰＵＣＣＨフォーマットである第４ＰＵＣＣＨフォーマットであり、
前記取得モジュールは、具体的に、
前記第４ＰＵＣＣＨフォーマットに対応するＵＣＩのビット数、および、前記ＵＣＩを搬送するＲＥの数を取得することに用いられ、
前記計算モジュールは、具体的に、
アップリンク電力の制御を実現するように、前記ＵＣＩのビット数および前記ＲＥの数に基づいて前記アップリンク電力調整値を計算することに用いられる。
【００４３】
選択可能に、前記計算モジュールは、具体的に、
前記ＵＣＩのビット数が２より大きくかつ１１以下である場合、前記アップリンク電力調整値を以下の式で
【数１２９】
2021503793.tif 000131
ここで、
【数１３０】
2021503793.tif 000132
：前記アップリンク電力調整値；
【数１３１】
2021503793.tif 000133
：前記ＵＣＩのビット数；
【数１３２】
2021503793.tif 000134
：前記ＲＥの数であり、
【数１３３】
2021503793.tif 000135
；
【数１３４】
2021503793.tif 000136
：前記第４ＰＵＣＣＨフォーマットに占用されるシンボル数；
【数１３５】
2021503793.tif 000137
：前記第４ＰＵＣＣＨフォーマットのうちのＤＭＲＳに占用されるシンボル数；
【数１３６】
2021503793.tif 000138
：前記第４ＰＵＣＣＨフォーマットに占用される帯域幅；
ｋ：所定値；
計算することに用いられ、
前記ＵＣＩのビット数が１１より大きい場合、前記アップリンク電力調整値を以下の式で
【数１３７】
2021503793.tif 000139
ここで、
【数１３８】
2021503793.tif 000140
：前記アップリンク電力調整値；
【数１３９】
2021503793.tif 000141
：前記ＵＣＩのビット数；
【数１４０】
2021503793.tif 000142
：前記ＲＥの数であり、
【数１４１】
2021503793.tif 000143
；
【数１４２】
2021503793.tif 000144
：前記第４ＰＵＣＣＨフォーマットに占用されるシンボル数；
【数１４３】
2021503793.tif 000145
：前記第４ＰＵＣＣＨフォーマットのうちのＤＭＲＳに占用されるシンボル数；
【数１４４】
2021503793.tif 000146
：前記第４ＰＵＣＣＨフォーマットに占用される帯域幅；
【数１４５】
2021503793.tif 000147
：ｐｏｌａｒ符号化ゲインの関連関数；
計算することに用いられる。
【００４４】
選択可能に、前記第４ＰＵＣＣＨフォーマットに占用される帯域幅は、サブキャリアの数で示され、前記ｋの値の範囲は、３以上かつ９以下である。
【００４５】
選択可能に、前記アップリンクチャネルフォーマットは、２ビットより大きい長いＰＵＣＣＨフォーマットである第４ＰＵＣＣＨフォーマットであり、
前記取得モジュールは、具体的に、
前記第４ＰＵＣＣＨフォーマットに対応するＵＣＩのビット数、前記ＵＣＩを搬送するＲＥの数、および、前記第４ＰＵＣＣＨフォーマットのホッピング設定パラメータを取得することに用いられ、
前記ホッピング設定パラメータは、ＰＵＣＣＨをホッピングＯＮに設定するパラメータ、または、ＰＵＣＣＨをホッピングＯＦＦに設定するパラメータを含み、
前記計算モジュールは、具体的に、
前記ＵＣＩのビット数、前記ＲＥの数および前記第４ＰＵＣＣＨフォーマットのホッピング設定パラメータに基づいて前記アップリンク電力調整値を計算することに用いられる。
【００４６】
選択可能に、前記計算モジュールは、具体的に、
前記ＵＣＩのビット数が２より大きくかつ１１以下である場合、前記アップリンク電力調整値を以下の式で
【数１４６】
2021503793.tif 000148
ここで、
【数１４７】
2021503793.tif 000149
：前記アップリンク電力調整値；
【数１４８】
2021503793.tif 000150
：前記ＵＣＩのビット数；
【数１４９】
2021503793.tif 000151
：前記ＲＥの数であり、
【数１５０】
2021503793.tif 000152
；
【数１５１】
2021503793.tif 000153
：前記第４ＰＵＣＣＨフォーマットに占用されるシンボル数；
【数１５２】
2021503793.tif 000154
：前記第４ＰＵＣＣＨフォーマットのうちのＤＭＲＳに占用されるシンボル数；
【数１５３】
2021503793.tif 000155
：前記第４ＰＵＣＣＨフォーマットに占用される帯域幅；
ｋ：所定値；前記ｋの値は、前記第４ＰＵＣＣＨフォーマットのホッピング設定パラメータに関係し、または、前記第４ＰＵＣＣＨフォーマットのホッピング設定パラメータに関係しなく；
計算することに用いられ、
前記ＵＣＩのビット数が１１より大きい場合、前記アップリンク電力調整値を以下の式で
【数１５４】
2021503793.tif 000156
ここで、
【数１５５】
2021503793.tif 000157
：前記アップリンク電力調整値；
【数１５６】
2021503793.tif 000158
：前記ＵＣＩのビット数；
【数１５７】
2021503793.tif 000159
：前記ＲＥの数であり、
【数１５８】
2021503793.tif 000160
；
【数１５９】
2021503793.tif 000161
：前記第４ＰＵＣＣＨフォーマットに占用されるシンボル数；
【数１６０】
2021503793.tif 000162
：前記第４ＰＵＣＣＨフォーマットのうちのＤＭＲＳに占用されるシンボル数；
【数１６１】
2021503793.tif 000163
：前記第４ＰＵＣＣＨフォーマットに占用される帯域幅；
【数１６２】
2021503793.tif 000164
：ｐｏｌａｒ符号化ゲインの関連関数；
計算することに用いられる。
【００４７】
選択可能に、前記第４ＰＵＣＣＨフォーマットに占用される帯域幅は、サブキャリアの数で示され、
前記ｋの値が前記第４ＰＵＣＣＨフォーマットのホッピング設定パラメータに関係する場合、前記ｋの値の範囲として、
前記第４ＰＵＣＣＨフォーマットのホッピングＯＦＦの際に、前記ｋの値の範囲は、７以上かつ９以下であり、
前記第４ＰＵＣＣＨフォーマットのホッピングＯＮの際に、前記ｋの値の範囲は、３以上でありかつ５より小さく、
または、前記ｋの値が前記第４ＰＵＣＣＨフォーマットのホッピング設定パラメータに関係しない場合、前記ｋの値の範囲は、３以上かつ９以下である。
【００４８】
選択可能に、前記第４ＰＵＣＣＨフォーマットは、ユーザ多重化をサポートするＰＵＣＣＨフォーマットと、ユーザ多重化をサポートしないＰＵＣＣＨフォーマットの２種類を含む。
【００４９】
選択可能に、前記アップリンクチャネルフォーマットは、２ビットより大きい短いＰＵＣＣＨフォーマットである第３ＰＵＣＣＨフォーマット、または、２ビットより大きい長いＰＵＣＣＨフォーマットである第４ＰＵＣＣＨフォーマットであり、
前記取得モジュールは、具体的に、
ＰＵＣＣＨフォーマットに対応するＵＣＩのビット数、および、前記ＵＣＩを搬送するＲＥの数を取得することに用いられ、
前記計算モジュールは、具体的に、
前記ＵＣＩのビット数および前記ＲＥの数に基づいて前記アップリンク電力調整値を計算することに用いられる。
【００５０】
選択可能に、前記計算モジュールは、具体的に、
前記ＵＣＩのビット数が２より大きくかつ１１以下である場合、前記アップリンク電力調整値を以下の式で
【数１６３】
2021503793.tif 000165
ここで、
【数１６４】
2021503793.tif 000166
：前記アップリンク電力調整値；
【数１６５】
2021503793.tif 000167
：前記ＵＣＩのビット数；
【数１６６】
2021503793.tif 000168
：前記ＲＥの数；
ここで、ＰＵＣＣＨが第３ＰＵＣＣＨフォーマットである場合、
【数１６７】
2021503793.tif 000169
；ＰＵＣＣＨが第４ＰＵＣＣＨフォーマットである場合、
【数１６８】
2021503793.tif 000170
；
【数１６９】
2021503793.tif 000171
：前記ＰＵＣＣＨに占用されるシンボル数；
【数１７０】
2021503793.tif 000172
：前記ＰＵＣＣＨのうちのＤＭＲＳに占用されるシンボル数；
【数１７１】
2021503793.tif 000173
：前記ＰＵＣＣＨに占用される帯域幅；
ｋ：所定値；
計算することに用いられる。
【００５１】
選択可能に、前記ＰＵＣＣＨに占用される帯域幅は、サブキャリアの数で示され、前記ｋの値の範囲は、３以上かつ９以下である。
【００５２】
本開示は、メモリと、プロセッサと、トランシーバと、前記メモリに格納されて前記プロセッサで実行可能なコンピュータプログラムを含む移動通信端末をさらに提供する。
前記移動通信端末において、
前記プロセッサは、前記コンピュータプログラムを実行すると、
アップリンクチャネルフォーマットに対応するアップリンク伝送パラメータを取得することと、
アップリンク電力の制御を実現するように、前記アップリンク伝送パラメータに基づいてアップリンク電力調整値を計算することと、
を実現する。
【００５３】
選択可能に、前記アップリンクチャネルフォーマットは、２ビット以下の短いＰＵＣＣＨフォーマットである第１ＰＵＣＣＨフォーマットであり、
前記プロセッサは、前記コンピュータプログラムを実行すると、
前記第１ＰＵＣＣＨフォーマットに占用されるシンボル数を取得することと、
アップリンク電力の制御を実現するように、前記第１ＰＵＣＣＨフォーマットに占用されるシンボル数に基づいて前記アップリンク電力調整値を計算することとをさらに実現する。
【００５４】
選択可能に、前記プロセッサは、前記コンピュータプログラムを実行すると、
前記アップリンク電力調整値を以下の式で
【数１７２】
2021503793.tif 000174
ここで、
【数１７３】
2021503793.tif 000175
：前記アップリンク電力調整値；
【数１７４】
2021503793.tif 000176
：前記第１ＰＵＣＣＨフォーマットに占用されるシンボル数；
【数１７５】
2021503793.tif 000177
：前記第１ＰＵＣＣＨフォーマットに対応する参照係数；
計算することをさらに実現する。
【００５５】
選択可能に、前記
【数１７６】
2021503793.tif 000178
の値は、所定値またはハイレイヤシグナリングによって設定された値である。
【００５６】
選択可能に、前記アップリンクチャネルフォーマットは、２ビット以下の長いＰＵＣＣＨフォーマットである第２ＰＵＣＣＨフォーマットであり、
前記プロセッサは、前記コンピュータプログラムを実行すると、
前記第２ＰＵＣＣＨフォーマットに占用されるシンボル数、および、前記第２ＰＵＣＣＨフォーマットのうちのＤＭＲＳに占用されるシンボル数を取得することと、
アップリンク電力の制御を実現するように、前記第２ＰＵＣＣＨフォーマットに占用されるシンボル数、および、前記第２ＰＵＣＣＨフォーマットのうちのＤＭＲＳに占用されるシンボル数に基づいて前記アップリンク電力調整値を計算することとをさらに実現する。
【００５７】
選択可能に、前記プロセッサは、前記コンピュータプログラムを実行すると、
前記アップリンク電力調整値を以下の式で
【数１７７】
2021503793.tif 000179
ここで、
【数１７８】
2021503793.tif 000180
：前記アップリンク電力調整値；
【数１７９】
2021503793.tif 000181
：前記第２ＰＵＣＣＨフォーマットに占用されるシンボル数；
【数１８０】
2021503793.tif 000182
：前記第２ＰＵＣＣＨフォーマットのうちのＤＭＲＳに占用されるシンボル数；
【数１８１】
2021503793.tif 000183
：前記第２ＰＵＣＣＨフォーマットに対応する参照係数；
計算することをさらに実現する。
【００５８】
選択可能に、前記
【数１８２】
2021503793.tif 000184
の値は、所定値またはハイレイヤシグナリングによって設定された値である。
【００５９】
選択可能に、前記アップリンクチャネルフォーマットは、２ビットより大きい短いＰＵＣＣＨフォーマットである第３ＰＵＣＣＨフォーマットであり、
前記プロセッサは、前記コンピュータプログラムを実行すると、
前記第３ＰＵＣＣＨフォーマットに対応するＵＣＩのビット数、および、前記ＵＣＩを搬送するＲＥの数を取得することと、前記ＵＣＩのビット数および前記ＲＥの数に基づいて前記アップリンク電力調整値を計算することとをさらに実現する。
【００６０】
選択可能に、前記プロセッサは、前記コンピュータプログラムを実行すると、
前記ＵＣＩのビット数が２より大きくかつ１１以下である場合、前記アップリンク電力調整値を以下の式で
【数１８３】
2021503793.tif 000185
ここで、
【数１８４】
2021503793.tif 000186
：前記アップリンク電力調整値；
【数１８５】
2021503793.tif 000187
：前記ＵＣＩのビット数；
【数１８６】
2021503793.tif 000188
：前記ＲＥの数であり、
【数１８７】
2021503793.tif 000189
；
【数１８８】
2021503793.tif 000190
：前記第３ＰＵＣＣＨフォーマットに占用されるシンボル数；
【数１８９】
2021503793.tif 000191
：前記第３ＰＵＣＣＨフォーマットに占用される帯域幅；
ｋ：所定値；
計算することをさらに実現し、
前記ＵＣＩのビット数が１１より大きい場合、前記アップリンク電力調整値を以下の式で
【数１９０】
2021503793.tif 000192
ここで、
【数１９１】
2021503793.tif 000193
：前記アップリンク電力調整値；
【数１９２】
2021503793.tif 000194
：前記ＵＣＩのビット数；
【数１９３】
2021503793.tif 000195
：前記ＲＥの数であり、
【数１９４】
2021503793.tif 000196
；
【数１９５】
2021503793.tif 000197
：前記第３ＰＵＣＣＨフォーマットに占用されるシンボル数；
【数１９６】
2021503793.tif 000198
：前記第３ＰＵＣＣＨフォーマットに占用される帯域幅；
【数１９７】
2021503793.tif 000199
：ｐｏｌａｒ符号化ゲインの関連関数；
で計算することをさらに実現する。
【００６１】
選択可能に、前記第３ＰＵＣＣＨフォーマットに占用される帯域幅は、サブキャリアの数で示され、前記ｋの値の範囲は、３以上かつ７以下である。
【００６２】
選択可能に、前記アップリンクチャネルフォーマットは、２ビットより大きい短いＰＵＣＣＨフォーマットである第３ＰＵＣＣＨフォーマットであり、
前記プロセッサは、前記コンピュータプログラムを実行すると、
前記第３ＰＵＣＣＨフォーマットに対応するＵＣＩのビット数、前記ＵＣＩを搬送するＲＥの数、および、前記第３ＰＵＣＣＨフォーマットのホッピング設定パラメータを取得することと、
前記ホッピング設定パラメータは、ＰＵＣＣＨをホッピングＯＮに設定するパラメータ、または、ＰＵＣＣＨをホッピングＯＦＦに設定するパラメータを含み、
前記ＵＣＩのビット数、前記ＲＥの数および前記第３ＰＵＣＣＨフォーマットのホッピング設定パラメータに基づいて前記アップリンク電力調整値を計算することとをさらに実現する。
【００６３】
選択可能に、前記プロセッサは、前記コンピュータプログラムを実行すると、
前記ＵＣＩのビット数が２より大きくかつ１１以下である場合、前記アップリンク電力調整値を以下の式で
【数１９８】
2021503793.tif 000200
ここで、
【数１９９】
2021503793.tif 000201
：前記アップリンク電力調整値；
【数２００】
2021503793.tif 000202
：前記ＵＣＩのビット数；
【数２０１】
2021503793.tif 000203
：前記ＲＥの数であり、
【数２０２】
2021503793.tif 000204
；
【数２０３】
2021503793.tif 000205
：前記第３ＰＵＣＣＨフォーマットに占用されるシンボル数；
【数２０４】
2021503793.tif 000206
：前記第３ＰＵＣＣＨフォーマットに占用される帯域幅；
ｋ：所定値；前記ｋの値は、前記第３ＰＵＣＣＨフォーマットのホッピング設定パラメータに関係し、または、前記第３ＰＵＣＣＨフォーマットのホッピング設定パラメータに関係しなく；
で計算することをさらに実現し、
前記ＵＣＩのビット数が１１より大きい場合、前記アップリンク電力調整値を以下の式で
【数２０５】
2021503793.tif 000207
ここで、
【数２０６】
2021503793.tif 000208
：前記アップリンク電力調整値；
【数２０７】
2021503793.tif 000209
：前記ＵＣＩのビット数；
【数２０８】
2021503793.tif 000210
：前記ＲＥの数であり、
【数２０９】
2021503793.tif 000211
；
【数２１０】
2021503793.tif 000212
：前記第３ＰＵＣＣＨフォーマットに占用されるシンボル数；
【数２１１】
2021503793.tif 000213
：前記第３ＰＵＣＣＨフォーマットに占用される帯域幅；
【数２１２】
2021503793.tif 000214
：ｐｏｌａｒ符号化ゲインの関連関数；
計算することをさらに実現する。
【００６４】
選択可能に、前記第３ＰＵＣＣＨフォーマットに占用される帯域幅は、サブキャリアの数で示され、
前記ｋの値が前記第３ＰＵＣＣＨフォーマットのホッピング設定パラメータに関係する場合、前記ｋの値の範囲として、
前記第３ＰＵＣＣＨフォーマットのホッピングＯＦＦの際に、前記ｋの値の範囲は、５以上かつ７以下であり、
前記第３ＰＵＣＣＨフォーマットのホッピングＯＮの際に、前記ｋの値の範囲は、３以上でありかつ５より小さく、
または、前記ｋの値が前記第３ＰＵＣＣＨフォーマットのホッピング設定パラメータに関係しない場合、前記ｋの値の範囲は、３以上かつ７以下である。
【００６５】
選択可能に、前記アップリンクチャネルフォーマットは、２ビットより大きい長いＰＵＣＣＨフォーマットである第４ＰＵＣＣＨフォーマットであり、
前記プロセッサは、前記コンピュータプログラムを実行すると、
前記第４ＰＵＣＣＨフォーマットに対応するＵＣＩのビット数、および、前記ＵＣＩを搬送するＲＥの数を取得することと、
アップリンク電力の制御を実現するように、前記ＵＣＩのビット数および前記ＲＥの数に基づいて前記アップリンク電力調整値を計算することとをさらに実現する。
【００６６】
選択可能に、前記プロセッサは、前記コンピュータプログラムを実行すると、
前記ＵＣＩのビット数が２より大きくかつ１１以下である場合、前記アップリンク電力調整値を以下の式で
【数２１３】
2021503793.tif 000215
ここで、
【数２１４】
2021503793.tif 000216
：前記アップリンク電力調整値；
【数２１５】
2021503793.tif 000217
：前記ＵＣＩのビット数；
【数２１６】
2021503793.tif 000218
：前記ＲＥの数であり、
【数２１７】
2021503793.tif 000219
；
【数２１８】
2021503793.tif 000220
：前記第４ＰＵＣＣＨフォーマットに占用されるシンボル数；
【数２１９】
2021503793.tif 000221
：前記第４ＰＵＣＣＨフォーマットのうちのＤＭＲＳに占用されるシンボル数；
【数２２０】
2021503793.tif 000222
：前記第４ＰＵＣＣＨフォーマットに占用される帯域幅；
ｋ：所定値；
計算することをさらに実現し、
前記ＵＣＩのビット数が１１より大きい場合、前記アップリンク電力調整値を以下の式で
【数２２１】
2021503793.tif 000223
ここで、
【数２２２】
2021503793.tif 000224
：前記アップリンク電力調整値；
【数２２３】
2021503793.tif 000225
：前記ＵＣＩのビット数；
【数２２４】
2021503793.tif 000226
：前記ＲＥの数であり、
【数２２５】
2021503793.tif 000227
；
【数２２６】
2021503793.tif 000228
：前記第４ＰＵＣＣＨフォーマットに占用されるシンボル数；
【数２２７】
2021503793.tif 000229
：前記第４ＰＵＣＣＨフォーマットのうちのＤＭＲＳに占用されるシンボル数；
【数２２８】
2021503793.tif 000230
：前記第４ＰＵＣＣＨフォーマットに占用される帯域幅；
【数２２９】
2021503793.tif 000231
：ｐｏｌａｒ符号化ゲインの関連関数；
計算することをさらに実現する。
【００６７】
選択可能に、前記第４ＰＵＣＣＨフォーマットに占用される帯域幅は、サブキャリアの数で示され、前記ｋの値の範囲は、３以上かつ９以下である。
【００６８】
選択可能に、前記アップリンクチャネルフォーマットは、２ビットより大きい長いＰＵＣＣＨフォーマットである第４ＰＵＣＣＨフォーマットであり、
前記プロセッサは、前記コンピュータプログラムを実行すると、
前記第４ＰＵＣＣＨフォーマットに対応するＵＣＩのビット数、前記ＵＣＩを搬送するＲＥの数、および、前記第４ＰＵＣＣＨフォーマットのホッピング設定パラメータを取得することと、
前記ホッピング設定パラメータは、ＰＵＣＣＨをホッピングＯＮに設定するパラメータ、または、ＰＵＣＣＨをホッピングＯＦＦに設定するパラメータを含み、
前記ＵＣＩのビット数、前記ＲＥの数および前記第４ＰＵＣＣＨフォーマットのホッピング設定パラメータに基づいて前記アップリンク電力調整値を計算することとをさらに実現する。
【００６９】
選択可能に、前記プロセッサは、前記コンピュータプログラムを実行すると、
前記ＵＣＩのビット数が２より大きくかつ１１以下である場合、前記アップリンク電力調整値を以下の式で
【数２３０】
2021503793.tif 000232
ここで、
【数２３１】
2021503793.tif 000233
：前記アップリンク電力調整値；
【数２３２】
2021503793.tif 000234
：前記ＵＣＩのビット数；
【数２３３】
2021503793.tif 000235
：前記ＲＥの数であり、
【数２３４】
2021503793.tif 000236
；
【数２３５】
2021503793.tif 000237
：前記第４ＰＵＣＣＨフォーマットに占用されるシンボル数；
【数２３６】
2021503793.tif 000238
：前記第４ＰＵＣＣＨフォーマットのうちのＤＭＲＳに占用されるシンボル数；
【数２３７】
2021503793.tif 000239
：前記第４ＰＵＣＣＨフォーマットに占用される帯域幅；
ｋ：所定値；前記ｋの値は、前記第４ＰＵＣＣＨフォーマットのホッピング設定パラメータに関係し、または、前記第４ＰＵＣＣＨフォーマットのホッピング設定パラメータに関係しなく；
計算することをさらに実現し、
前記ＵＣＩのビット数が１１より大きい場合、前記アップリンク電力調整値を以下の式で
【数２３８】
2021503793.tif 000240
ここで、
【数２３９】
2021503793.tif 000241
：前記アップリンク電力調整値；
【数２４０】
2021503793.tif 000242
：前記ＵＣＩのビット数；
【数２４１】
2021503793.tif 000243
：前記ＲＥの数であり、
【数２４２】
2021503793.tif 000244
；
【数２４３】
2021503793.tif 000245
：前記第４ＰＵＣＣＨフォーマットに占用されるシンボル数；
【数２４４】
2021503793.tif 000246
：前記第４ＰＵＣＣＨフォーマットのうちのＤＭＲＳに占用されるシンボル数；
【数２４５】
2021503793.tif 000247
：前記第４ＰＵＣＣＨフォーマットに占用される帯域幅；
【数２４６】
2021503793.tif 000248
：ｐｏｌａｒ符号化ゲインの関連関数；
計算することをさらに実現する。
【００７０】
選択可能に、前記第４ＰＵＣＣＨフォーマットに占用される帯域幅は、サブキャリアの数で示され、
前記ｋの値が前記第４ＰＵＣＣＨフォーマットのホッピング設定パラメータに関係する場合、前記ｋの値の範囲として、
前記第４ＰＵＣＣＨフォーマットのホッピングＯＦＦの際に、前記ｋの値の範囲は、７以上かつ９以下であり、
前記第４ＰＵＣＣＨフォーマットのホッピングＯＮの際に、前記ｋの値の範囲は、３以上でありかつ５より小さく、
または、前記ｋの値が前記第４ＰＵＣＣＨフォーマットのホッピング設定パラメータに関係しない場合、前記ｋの値の範囲は、３以上かつ９以下である。
【００７１】
選択可能に、前記第４ＰＵＣＣＨフォーマットは、ユーザ多重化をサポートするＰＵＣＣＨフォーマットと、ユーザ多重化をサポートしないＰＵＣＣＨフォーマットの２種類を含む。
【００７２】
選択可能に、前記アップリンクチャネルフォーマットは、２ビットより大きい短いＰＵＣＣＨフォーマットである第３ＰＵＣＣＨフォーマット、または、２ビットより大きい長いＰＵＣＣＨフォーマットである第４ＰＵＣＣＨフォーマットであり、
前記プロセッサは、前記コンピュータプログラムを実行すると、ＰＵＣＣＨフォーマットに対応するＵＣＩのビット数、および、前記ＵＣＩを搬送するＲＥの数を取得することと、
前記ＵＣＩのビット数および前記ＲＥの数に基づいて前記アップリンク電力調整値を計算することとをさらに実現する。
【００７３】
選択可能に、前記プロセッサは、前記コンピュータプログラムを実行すると、
前記ＵＣＩのビット数が２より大きくかつ１１以下である場合、前記アップリンク電力調整値を以下の式で
【数２４７】
2021503793.tif 000249
ここで、
【数２４８】
2021503793.tif 000250
：前記アップリンク電力調整値；
【数２４９】
2021503793.tif 000251
：前記ＵＣＩのビット数；
【数２５０】
2021503793.tif 000252
：前記ＲＥの数；
ここで、ＰＵＣＣＨが第３ＰＵＣＣＨフォーマットである場合、
【数２５１】
2021503793.tif 000253
；ＰＵＣＣＨが第４ＰＵＣＣＨフォーマットである場合、
【数２５２】
2021503793.tif 000254
；
【数２５３】
2021503793.tif 000255
：前記ＰＵＣＣＨに占用されるシンボル数；
【数２５４】
2021503793.tif 000256
：前記ＰＵＣＣＨのうちのＤＭＲＳに占用されるシンボル数；
【数２５５】
2021503793.tif 000257
：前記ＰＵＣＣＨに占用される帯域幅；
ｋ：所定値；
計算することをさらに実現する。
【００７４】
選択可能に、前記ＰＵＣＣＨに占用される帯域幅は、サブキャリアの数で示され、前記ｋの値の範囲は、３以上かつ９以下である。
【００７５】
本開示は、コンピュータプログラムを格納するためのコンピュータ読み取り可能な記憶媒体をさらに提供する。前記コンピュータプログラムがプロセッサによって実行されると、上記アップリンク電力制御方法のことが実現される。
【発明の効果】
【００７６】
本開示において、ＮＲでアップリンクチャネルフォーマットに対応するアップリンク伝送パラメータを取得してアップリンク電力調整値を計算することによって、算出したアップリンク電力調整値がＮＲでアップリンクチャネルフォーマットに適応することができ、アップリンク電力の制御をＮＲでアップリンクチャネルフォーマットに適応させ、ＮＲでアップリンクチャネルの伝送性能を保証する。
【図面の簡単な説明】
【００７７】
本開示の実施例の技術手段をより明確に説明するために、以下、本開示の実施例に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００７８】
【図１】本開示の実施例におけるアップリンク電力制御方法のフローチャートである。
【図２】本開示の実施例における別のアップリンク電力制御方法のフローチャートである。
【図３】本開示の実施例における別のアップリンク電力制御方法のフローチャートである。
【図４】本開示の実施例における別のアップリンク電力制御方法のフローチャートである。
【図５】本開示の実施例における別のアップリンク電力制御方法のフローチャートである。
【図６】本開示の実施例における別のアップリンク電力制御方法のフローチャートである。
【図７】本開示の実施例における別のアップリンク電力制御方法のフローチャートである。
【図８】本開示の実施例における別のアップリンク電力制御方法のフローチャートである。
【図９】本開示の実施例における移動通信端末の構造図である。
【図１０】本開示の実施例における別の移動通信端末の構造図である。
【発明を実施するための形態】
【００７９】
以下、本開示の実施例における図面を参照しながら、本開示の実施例における技術手段を明確かつ完全に記載する。明らかに、記載される実施例は、本開示の実施例の一部であり、全てではない。本開示の実施例に基づき、当業者が創造性のある作業をせずに為しえる全ての実施例は、いずれも本開示の保護範囲に属するものである。
【００８０】
以下、図面および実施例を参照しながら、本開示の具体的な実施形態をさらに詳細に記載する。以下の実施例は、本開示を説明するためのものであり、本開示の範囲を制限することに用いられない。
【００８１】
図１を参照する。図１は、本開示の実施例におけるアップリンク電力制御方法のフローチャートである。図１に示すように、アップリンク電力制御方法において、以下のステップを含む。
【００８２】
ステップ１０１において、アップリンクチャネルフォーマットに対応するアップリンク伝送パラメータを取得する。
【００８３】
当該ステップにおいて、移動通信端末は、アップリンクチャネルフォーマットに対応するアップリンク伝送パラメータを取得することができる。
【００８４】
ここで、上記アップリンクチャネルフォーマットは、ＮＲでのアップリンクチャネルフォーマットである。アップリンクチャネルフォーマットによっては、移動通信端末が取得するアップリンク伝送パラメータは、異なる可能性がある。
【００８５】
ステップ１０２において、アップリンク電力の制御を実現するように、前記アップリンク伝送パラメータに基づいてアップリンク電力調整値を計算する。
【００８６】
当該ステップにおいて、移動通信端末は、ステップ１０１で取得したアップリンク伝送パラメータに基づいてアップリンク電力調整値を計算することができる。ここで、当該アップリンク電力調整値は、アップリンク電力の制御を実現することに用いられる。
【００８７】
具体的に、どのようにアップリンク電力調整値によってアップリンク電力の制御を実現するかは、背景技術で記載したＬＴＥにおけるアップリンク電力制御方式で実現可能であり、重複を避けるために、本開示の実施例でこれについて繰り返して記載しない。
【００８８】
本開示の実施例は、ＮＲで移動通信端末のアップリンク伝送電力制御に適用する。本開示の実施例において、ＮＲでアップリンクチャネルフォーマットに対応するアップリンク伝送パラメータを取得してアップリンク電力調整値を計算することによって、算出したアップリンク電力調整値がＮＲでのアップリンクチャネルフォーマットに適応することができ、アップリンク電力の制御をＮＲでのアップリンクチャネルフォーマットに適応させ、ＮＲでアップリンクチャネルの伝送性能を保証する。
【００８９】
ＮＲでは、計５種類の新規のＰＵＣＣＨフォーマットをサポートする。この５種類のＰＵＣＣＨフォーマットは、それぞれ、２ビット以下の短いＰＵＣＣＨフォーマットであるＰＵＣＣＨ  ｆｏｒｍａｔ  ０、２ビット以下の長いＰＵＣＣＨフォーマットであるＰＵＣＣＨ  ｆｏｒｍａｔ  １、２ビットより大きい短いＰＵＣＣＨフォーマットであるＰＵＣＣＨ  ｆｏｒｍａｔ  ２、２ビットより大きい長いＰＵＣＣＨフォーマットでかつマルチユーザ多重化をサポートしないＰＵＣＣＨ  ｆｏｒｍａｔ  ３、２ビットより大きい長いＰＵＣＣＨフォーマットでかつマルチユーザ多重化をサポートするＰＵＣＣＨ  ｆｏｒｍａｔ  ４である。上記各種類のＰＵＣＣＨフォーマットは、その名称によって本開示の範囲を制限することはない。
【００９０】
以下、本開示をＮＲの異なるＰＵＣＣＨフォーマットにそれぞれ適応することを実施例として具体的に記載する。
【００９１】
図２を参照する。図２は、本開示の実施例における別のアップリンク電力制御方法のフローチャートである。図２に示すように、アップリンク電力制御方法において、以下のステップを含む。
【００９２】
ステップ１０１１において、第１ＰＵＣＣＨフォーマットに占用されるシンボル数を取得する。
【００９３】
本開示の実施例は、第１ＰＵＣＣＨフォーマットに適応する。ここで、第１ＰＵＣＣＨフォーマットは、２ビット以下の短いＰＵＣＣＨフォーマットである。なお、第１ＰＵＣＣＨフォーマットは、上記のＮＲにおける５種類のＰＵＣＣＨフォーマットのうちのＰＵＣＣＨ  ｆｏｒｍａｔ  ０である。
【００９４】
当該ステップにおいて、移動通信端末は、第１ＰＵＣＣＨフォーマットに占用されるシンボル数を取得することができる。
【００９５】
ステップ１０２１において、アップリンク電力の制御を実現するように、前記第１ＰＵＣＣＨフォーマットに占用されるシンボル数に基づいてアップリンク電力調整値を計算する。
【００９６】
当該ステップにおいて、移動通信端末は、ステップ１０１１で取得した第１ＰＵＣＣＨフォーマットに占用されるシンボル数に基づいてアップリンク電力調整値を計算することができる。
【００９７】
どのようにアップリンク電力調整値によってアップリンク電力の制御を実現するかは、図１に示す実施例の関連記載を参照し、重複を避けるために、これについて繰り返して記載しない。
【００９８】
具体的に、ステップ１０２１でアップリンク電力調整値の計算は、以下の式で実現される。
【数２５６】
2021503793.tif 000258
ここで、
【数２５７】
2021503793.tif 000259
：前記アップリンク電力調整値；
【数２５８】
2021503793.tif 000260
：前記第１ＰＵＣＣＨフォーマットに占用されるシンボル数；
【数２５９】
2021503793.tif 000261
：前記第１ＰＵＣＣＨフォーマットに対応する参照係数である。
【００９９】
選択可能に、前記
【数２６０】
2021503793.tif 000262
の値は、所定値またはハイレイヤシグナリングによって設定された値である。
【数２６１】
2021503793.tif 000263
の値は、所定値である場合、１であり、それに限られない。
【０１００】
たとえば、ＰＵＣＣＨ  ｆｏｒｍａｔ  ０でアップリンクフィードバックを行うように基地局から移動通信端末に指示し、フィードバックが必要なビット数が１であり、ＰＵＣＣＨ  ｆｏｒｍａｔ  ０に占用されるシンボル数が１であるとする。
【０１０１】
移動通信端末は、ＰＵＣＣＨ  ｆｏｒｍａｔ  ０に対応する電力調整値を
【数２６２】
2021503793.tif 000264
で計算し、
【数２６３】
2021503793.tif 000265
＝１、
【数２６４】
2021503793.tif 000266
＝１から、
【数２６５】
2021503793.tif 000267
となる。
【０１０２】
本開示の実施例は、アップリンク電力の制御がＮＲにおけるＰＵＣＣＨ  ｆｏｒｍａｔ  ０に適応し、ＮＲにおけるＰＵＣＣＨ  ｆｏｒｍａｔ  ０の伝送性能を保証する。
【０１０３】
図３を参照する。図３は、本開示の実施例における別のアップリンク電力制御方法のフローチャートである。図３に示すように、アップリンク電力制御方法において、以下のステップを含む。
【０１０４】
ステップ１０１２において、第２ＰＵＣＣＨフォーマットに占用されるシンボル数、および、前記第２ＰＵＣＣＨフォーマットのうちのＤＭＲＳに占用されるシンボル数を取得する。
【０１０５】
本開示の実施例は、第２ＰＵＣＣＨフォーマットに適応する。ここで、第２ＰＵＣＣＨフォーマットは、２ビット以下の長いＰＵＣＣＨフォーマットである。なお、第２ＰＵＣＣＨフォーマットは、上記のＮＲにおける５種類のＰＵＣＣＨフォーマットのうちのＰＵＣＣＨ  ｆｏｒｍａｔ  １である。
【０１０６】
当該ステップにおいて、移動通信端末は、第２ＰＵＣＣＨフォーマットに占用されるシンボル数、および、第２ＰＵＣＣＨフォーマットのうちのＤＭＲＳに占用されるシンボル数を取得することができる。
【０１０７】
ステップ１０２２において、アップリンク電力の制御を実現するように、前記第２ＰＵＣＣＨフォーマットに占用されるシンボル数、および、前記第２ＰＵＣＣＨフォーマットのうちのＤＭＲＳに占用されるシンボル数に基づいてアップリンク電力調整値を計算する。
【０１０８】
当該ステップにおいて、移動通信端末は、ステップ１０１２で取得した第２ＰＵＣＣＨフォーマットに占用されるシンボル数、および、第２ＰＵＣＣＨフォーマットのうちのＤＭＲＳに占用されるシンボル数に基づいてアップリンク電力調整値を計算することができる。
【０１０９】
どのようにアップリンク電力調整値によってアップリンク電力の制御を実現するかは、図１に示す実施例の関連記載を参照し、重複を避けるために、これについて繰り返して記載しない。
【０１１０】
具体的に、ステップ１０２２でアップリンク電力調整値の計算は、以下の式で実現される。
【数２６６】
2021503793.tif 000268
ここで、
【数２６７】
2021503793.tif 000269
：前記アップリンク電力調整値；
【数２６８】
2021503793.tif 000270
：前記第２ＰＵＣＣＨフォーマットに占用されるシンボル数；
【数２６９】
2021503793.tif 000271
：前記第２ＰＵＣＣＨフォーマットのうちのＤＭＲＳに占用されるシンボル数；
【数２７０】
2021503793.tif 000272
：前記第２ＰＵＣＣＨフォーマットに対応する参照係数である。
【０１１１】
選択可能に、前記
【数２７１】
2021503793.tif 000273
の値は、所定値またはハイレイヤシグナリングによって設定された値である。
【数２７２】
2021503793.tif 000274
の値は、所定値である場合、２であり、それに限られない。
【０１１２】
たとえば、ＰＵＣＣＨ  ｆｏｒｍａｔ  １でアップリンクフィードバックを行うように基地局から移動通信端末に指示し、フィードバックが必要なビット数が２であり、ＰＵＣＣＨ  ｆｏｒｍａｔ  １に占用されるシンボル数が４であり、そのうち一つのＤＭＲＳシンボルが含まれるとする。
【０１１３】
移動通信端末は、ＰＵＣＣＨ  ｆｏｒｍａｔ  １に対応する電力調整値を
【数２７３】
2021503793.tif 000275
で計算し、
【数２７４】
2021503793.tif 000276
、
【数２７５】
2021503793.tif 000277
、
【数２７６】
2021503793.tif 000278
から、
【数２７７】
2021503793.tif 000279
となる。
【０１１４】
本開示の実施例は、アップリンク電力の制御がＮＲにおけるＰＵＣＣＨ  ｆｏｒｍａｔ  １に適応し、ＮＲにおけるＰＵＣＣＨ  ｆｏｒｍａｔ  １の伝送性能を保証する。
【０１１５】
図４を参照する。図４は、本開示の実施例における別のアップリンク電力制御方法のフローチャートである。図４に示すように、アップリンク電力制御方法において、以下のステップを含む。
【０１１６】
ステップ１０１３において、第３ＰＵＣＣＨフォーマットに対応するＵＣＩのビット数、および、前記ＵＣＩを搬送するＲＥの数を取得する。
【０１１７】
本開示の実施例は、第３ＰＵＣＣＨフォーマットに適応する。ここで、第３ＰＵＣＣＨフォーマットは、２ビットより大きい短いＰＵＣＣＨフォーマットである。なお、第３ＰＵＣＣＨフォーマットは、上記のＮＲにおける５種類のＰＵＣＣＨフォーマットのうちのＰＵＣＣＨ  ｆｏｒｍａｔ  ２である。
【０１１８】
当該ステップにおいて、移動通信端末は、第３ＰＵＣＣＨフォーマットに対応するＵＣＩのビット数、および、ＵＣＩを搬送するＲＥの数を取得することができる。
【０１１９】
ステップ１０２３において、アップリンク電力の制御を実現するように、前記ＵＣＩのビット数および前記ＲＥの数に基づいてアップリンク電力調整値を計算する。
【０１２０】
当該ステップにおいて、移動通信端末は、ステップ１０１３で取得したＵＣＩのビット数および前記ＲＥの数に基づいてアップリンク電力調整値を計算することができる。ここで、ＵＣＩのビット数は、２より大きくかつ１１以下であってもよく、１１より大きくてもよい。
【０１２１】
どのようにアップリンク電力調整値によってアップリンク電力の制御を実現するかは、図１に示す実施例の関連記載を参照し、重複を避けるために、これについて繰り返して記載しない。
【０１２２】
具体的に、ＵＣＩのビット数が２より大きくかつ１１以下である場合、ステップ１０２３でアップリンク電力調整値の計算は、以下の式で実現される。
【数２７８】
2021503793.tif 000280
ここで、
【数２７９】
2021503793.tif 000281
：前記アップリンク電力調整値；
【数２８０】
2021503793.tif 000282
：前記ＵＣＩのビット数；
【数２８１】
2021503793.tif 000283
：前記ＲＥの数であり、
【数２８２】
2021503793.tif 000284
；
【数２８３】
2021503793.tif 000285
：前記第３ＰＵＣＣＨフォーマットに占用されるシンボル数；
【数２８４】
2021503793.tif 000286
：前記第３ＰＵＣＣＨフォーマットに占用される帯域幅；
ｋ：所定値である。
【０１２３】
ＵＣＩのビット数が１１より大きい場合、ステップ１０２３でアップリンク電力調整値の計算は、以下の式で実現される。
【数２８５】
2021503793.tif 000287
ここで、
【数２８６】
2021503793.tif 000288
：前記アップリンク電力調整値；
【数２８７】
2021503793.tif 000289
：前記ＵＣＩのビット数；
【数２８８】
2021503793.tif 000290
：前記ＲＥの数であり、
【数２８９】
2021503793.tif 000291
；
【数２９０】
2021503793.tif 000292
：前記第３ＰＵＣＣＨフォーマットに占用されるシンボル数；
【数２９１】
2021503793.tif 000293
：前記第３ＰＵＣＣＨフォーマットに占用される帯域幅；
【数２９２】
2021503793.tif 000294
：ｐｏｌａｒ符号化ゲインの関連関数であり、線形関数であってもよく、非線形関数であってもよい。
【０１２４】
選択可能に、前記第３ＰＵＣＣＨフォーマットに占用される帯域幅は、サブキャリアの数で示され、前記ｋの値の範囲は、３以上かつ７以下である。
【０１２５】
たとえば、ＰＵＣＣＨ  ｆｏｒｍａｔ  ２でアップリンクフィードバックを行うように基地局から移動通信端末に指示し、フィードバックが必要なＵＣＩのビット数が５であり、ＰＵＣＣＨ  ｆｏｒｍａｔ  ２に占用されるシンボル数が２であり、占用されるＰＲＢ（Ｐｈｙｓｉｃａｌ  Ｒｅｓｏｕｒｃｅ  Ｂｌｏｃｋ）の数が４であり、すなわち、ＰＵＣＣＨ  ｆｏｒｍａｔ  ２に占用される帯域幅
【数２９３】
2021503793.tif 000295
であるとする。
【０１２６】
移動通信端末は、ＰＵＣＣＨ  ｆｏｒｍａｔ  ２に対応する電力調整値を
【数２９４】
2021503793.tif 000296
で計算し、
【数２９５】
2021503793.tif 000297
、
【数２９６】
2021503793.tif 000298
、ｋ＝５の場合、
【数２９７】
2021503793.tif 000299
となる。
【０１２７】
本開示の実施例は、アップリンク電力の制御がＮＲにおけるＰＵＣＣＨ  ｆｏｒｍａｔ  ２に適応し、ＮＲにおけるＰＵＣＣＨ  ｆｏｒｍａｔ  ２の伝送性能を保証する。
【０１２８】
図５を参照する。図５は、本開示の実施例における別のアップリンク電力制御方法のフローチャートである。図５に示すように、アップリンク電力制御方法において、以下のステップを含む。
【０１２９】
ステップ１０１４において、第３ＰＵＣＣＨフォーマットに対応するＵＣＩのビット数、前記ＵＣＩを搬送するＲＥの数、および、前記第３ＰＵＣＣＨフォーマットのホッピング設定パラメータを取得する。
【０１３０】
本開示の実施例は、第３ＰＵＣＣＨフォーマットに適応する。
【０１３１】
当該ステップにおいて、移動通信端末は、第３ＰＵＣＣＨフォーマットに対応するＵＣＩのビット数、ＵＣＩを搬送するＲＥの数、および、第３ＰＵＣＣＨフォーマットのホッピング設定パラメータを取得することができる。
【０１３２】
ここで、前記ホッピング設定パラメータは、ＰＵＣＣＨをホッピングＯＮに設定するためのパラメータ、または、ＰＵＣＣＨをホッピングＯＦＦに設定するためのパラメータである。ホッピング設定パラメータは、ハイレイヤによって設定される。
【０１３３】
ステップ１０２４において、アップリンク電力の制御を実現するように、前記ＵＣＩのビット数、前記ＲＥの数および前記第３ＰＵＣＣＨフォーマットのホッピング設定パラメータに基づいてアップリンク電力調整値を計算する。
【０１３４】
当該ステップにおいて、移動通信端末は、ステップ１０１４で取得したＵＣＩのビット数、ＲＥの数および第３ＰＵＣＣＨフォーマットのホッピング設定パラメータに基づいてアップリンク電力調整値を計算することができる。ここで、ＵＣＩのビット数は、２より大きくかつ１１以下であってもよく、１１より大きくてもよい。
【０１３５】
どのようにアップリンク電力調整値によってアップリンク電力の制御を実現するかは、図１に示す実施例の関連記載を参照し、重複を避けるために、これについて繰り返して記載しない。
【０１３６】
具体的に、ＵＣＩのビット数が２より大きくかつ１１以下である場合、ステップ１０２４でアップリンク電力調整値の計算は、以下の式で実現される。
【数２９８】
2021503793.tif 000300
ここで、
【数２９９】
2021503793.tif 000301
：前記アップリンク電力調整値；
【数３００】
2021503793.tif 000302
：前記ＵＣＩのビット数；
【数３０１】
2021503793.tif 000303
：前記ＲＥの数であり、
【数３０２】
2021503793.tif 000304
；
【数３０３】
2021503793.tif 000305
：前記第３ＰＵＣＣＨフォーマットに占用されるシンボル数；
【数３０４】
2021503793.tif 000306
：前記第３ＰＵＣＣＨフォーマットに占用される帯域幅；
ｋ：所定値；前記ｋの値は、前記第３ＰＵＣＣＨフォーマットのホッピング設定パラメータに関係し、または、前記第３ＰＵＣＣＨフォーマットのホッピング設定パラメータに関係しない。
【０１３７】
ＵＣＩのビット数が１１より大きい場合、ステップ１０２４でアップリンク電力調整値の計算は、以下の式で実現される。
【数３０５】
2021503793.tif 000307
ここで、
【数３０６】
2021503793.tif 000308
：前記アップリンク電力調整値；
【数３０７】
2021503793.tif 000309
：前記ＵＣＩのビット数；
【数３０８】
2021503793.tif 000310
：前記ＲＥの数であり、
【数３０９】
2021503793.tif 000311
；
【数３１０】
2021503793.tif 000312
：前記第３ＰＵＣＣＨフォーマットに占用されるシンボル数；
【数３１１】
2021503793.tif 000313
：前記第３ＰＵＣＣＨフォーマットに占用される帯域幅；
【数３１２】
2021503793.tif 000314
：ｐｏｌａｒ符号化ゲインの関連関数であり、線形関数であってもよく、非線形関数であってもよい。
【０１３８】
選択可能に、前記第３ＰＵＣＣＨフォーマットに占用される帯域幅は、サブキャリアの数で示される。
前記ｋの値が前記第３ＰＵＣＣＨフォーマットのホッピング設定パラメータに関係する場合、前記ｋの値の範囲として、
前記第３ＰＵＣＣＨフォーマットのホッピングＯＦＦの際に、前記ｋの値の範囲は、５以上かつ７以下であり、
前記第３ＰＵＣＣＨフォーマットのホッピングＯＮの際に、前記ｋの値の範囲は、３以上でありかつ５より小さい。
または、前記ｋの値が前記第３ＰＵＣＣＨフォーマットのホッピング設定パラメータに関係しない場合、前記ｋの値の範囲は、３以上かつ７以下である。
【０１３９】
当該実施形態において、ｋの値が前記第３ＰＵＣＣＨフォーマットのホッピング設定パラメータに関係する場合、次の例が挙げられる。たとえば、ホッピングＯＦＦのＰＵＣＣＨ  ｆｏｒｍａｔ  ２でアップリンクフィードバックを行うように基地局から移動通信端末に指示し、フィードバックが必要なＵＣＩのビット数が５であり、ＰＵＣＣＨ  ｆｏｒｍａｔ  ２に占用されるシンボル数が２であり、占用されるＰＲＢの数が４であり、すなわちＰＵＣＣＨ  ｆｏｒｍａｔ  ２に占用される帯域
【数３１３】
2021503793.tif 000315
であるとする。
【０１４０】
移動通信端末は、ホッピングＯＦＦのＰＵＣＣＨ  ｆｏｒｍａｔ  ２に対応する電力調整値を
【数３１４】
2021503793.tif 000316
で計算し、
【数３１５】
2021503793.tif 000317
、
【数３１６】
2021503793.tif 000318
、ｋ＝６．６４の場合、
【数３１７】
2021503793.tif 000319
となる。
【０１４１】
また、たとえば、ホッピングＯＮのＰＵＣＣＨ  ｆｏｒｍａｔ  ２でアップリンクフィードバックを行うように基地局から移動通信端末に指示し、フィードバックが必要なＵＣＩのビット数が５であり、ＰＵＣＣＨ  ｆｏｒｍａｔ  ２に占用されるシンボル数が２であり、占用されるＰＲＢの数が４であり、すなわちＰＵＣＣＨ  ｆｏｒｍａｔ  ２に占用される帯域
【数３１８】
2021503793.tif 000320
であるとする。
【０１４２】
移動通信端末は、ホッピングＯＮのＰＵＣＣＨ  ｆｏｒｍａｔ  ２に対応する電力調整値を
【数３１９】
2021503793.tif 000321
で計算し、
【数３２０】
2021503793.tif 000322
、
【数３２１】
2021503793.tif 000323
、ｋ＝４の場合、
【数３２２】
2021503793.tif 000324
となる。
【０１４３】
当該実施形態において、ｋの値が前記第３ＰＵＣＣＨフォーマットのホッピング設定パラメータに関係しない場合、ＰＵＣＣＨ  ｆｏｒｍａｔ  ２のホッピングＯＮ／ＯＦＦにかかわらず、ｋは、同一の所定値であり、たとえば予め５．３４７２に定められる。
【０１４４】
ＰＵＣＣＨ  ｆｏｒｍａｔ  ２でアップリンクフィードバックを行うように基地局から移動通信端末に指示し、フィードバックが必要なＵＣＩのビット数が８であり、ＰＵＣＣＨ  ｆｏｒｍａｔ  ２に占用されるシンボル数が２であり、占用されるＰＲＢの数が２であり、すなわちＰＵＣＣＨ  ｆｏｒｍａｔ  ２に占用される帯域
【数３２３】
2021503793.tif 000325
であるとする。
【０１４５】
移動通信端末は、ＰＵＣＣＨ  ｆｏｒｍａｔ  ２に対応する電力調整値を
【数３２４】
2021503793.tif 000326
で計算し、
【数３２５】
2021503793.tif 000327
、
【数３２６】
2021503793.tif 000328
、ｋがホッピングＯＮ／ＯＦＦとは関係なしに５．３４７２であることから、
【数３２７】
2021503793.tif 000329
となる。
【０１４６】
本開示の実施例は、アップリンク電力の制御がＮＲにおけるＰＵＣＣＨ  ｆｏｒｍａｔ  ２に適応し、ＮＲにおけるＰＵＣＣＨ  ｆｏｒｍａｔ  ２の伝送性能を保証する。
【０１４７】
図６を参照する。図６は、本開示の実施例における別のアップリンク電力制御方法のフローチャートである。図６に示すように、アップリンク電力制御方法において、以下のステップを含む。
【０１４８】
ステップ１０１５において、第４ＰＵＣＣＨフォーマットに対応するＵＣＩのビット数、および、前記ＵＣＩを搬送するＲＥの数を取得する。
【０１４９】
本開示の実施例は、第４ＰＵＣＣＨフォーマットに適応する。ここで、第４ＰＵＣＣＨフォーマットは、２ビットより大きい長いＰＵＣＣＨフォーマットであり、かつユーザ多重化をサポートするＰＵＣＣＨフォーマットと、ユーザ多重化をサポートしないＰＵＣＣＨフォーマットの２種類を含む。なお、第４ＰＵＣＣＨフォーマットは、上記のＮＲにおける５種類のＰＵＣＣＨフォーマットのうちのＰＵＣＣＨ  ｆｏｒｍａｔ  ３とＰＵＣＣＨ  ｆｏｒｍａｔ  ４を含む。
【０１５０】
当該ステップにおいて、移動通信端末は、第４ＰＵＣＣＨフォーマットに対応するＵＣＩのビット数、および、ＵＣＩを搬送するＲＥの数を取得することができる。
【０１５１】
ステップ１０２５において、アップリンク電力の制御を実現するように、前記ＵＣＩのビット数および前記ＲＥの数に基づいてアップリンク電力調整値を計算する。
【０１５２】
当該ステップにおいて、移動通信端末は、ステップ１０１５で取得したＵＣＩのビット数および前記ＲＥの数に基づいてアップリンク電力調整値を計算することができる。ここで、ＵＣＩのビット数が２より大きくかつ１１以下であってもよく、１１より大きくてもよい。
【０１５３】
どのようにアップリンク電力調整値によってアップリンク電力の制御を実現するかは、図１に示す実施例の関連記載を参照し、重複を避けるために、これについて繰り返して記載しない。
【０１５４】
具体的に、ＵＣＩのビット数が２より大きくかつ１１以下である場合、ステップ１０２５でアップリンク電力調整値の計算は、以下の式で実現される。
【数３２８】
2021503793.tif 000330
ここで、
【数３２９】
2021503793.tif 000331
：前記アップリンク電力調整値；
【数３３０】
2021503793.tif 000332
：前記ＵＣＩのビット数；
【数３３１】
2021503793.tif 000333
：前記ＲＥの数であり、
【数３３２】
2021503793.tif 000334
；
【数３３３】
2021503793.tif 000335
：前記第４ＰＵＣＣＨフォーマットに占用されるシンボル数；
【数３３４】
2021503793.tif 000336
：前記第４ＰＵＣＣＨフォーマットのうちのＤＭＲＳに占用されるシンボル数；
【数３３５】
2021503793.tif 000337
：前記第４ＰＵＣＣＨフォーマットに占用される帯域幅；
ｋ：所定値である。
【０１５５】
ＵＣＩのビット数が１１より大きい場合、ステップ１０２４でアップリンク電力調整値の計算は、以下の式で実現される。
【数３３６】
2021503793.tif 000338
ここで、
【数３３７】
2021503793.tif 000339
：前記アップリンク電力調整値；
【数３３８】
2021503793.tif 000340
：前記ＵＣＩのビット数；
【数３３９】
2021503793.tif 000341
：前記ＲＥの数であり、
【数３４０】
2021503793.tif 000342
；
【数３４１】
2021503793.tif 000343
：前記第４ＰＵＣＣＨフォーマットに占用されるシンボル数；
【数３４２】
2021503793.tif 000344
：前記第４ＰＵＣＣＨフォーマットのうちのＤＭＲＳに占用されるシンボル数；
【数３４３】
2021503793.tif 000345
：前記第４ＰＵＣＣＨフォーマットに占用される帯域幅；
【数３４４】
2021503793.tif 000346
：ｐｏｌａｒ符号化ゲインの関連関数であり、線形関数であってもよく、非線形関数であってもよい。
【０１５６】
選択可能に、前記第４ＰＵＣＣＨフォーマットに占用される帯域幅は、サブキャリアの数で示され、前記ｋの値の範囲は、３以上かつ９以下である。
【０１５７】
たとえば、ＰＵＣＣＨ  ｆｏｒｍａｔ  ４でアップリンクフィードバックを行うように基地局から移動通信端末に指示し、フィードバックが必要なＵＣＩのビット数が３０であり、ＰＵＣＣＨ  ｆｏｒｍａｔ  ４に占用されるシンボル数が１４であり、そのうちＤＭＲＳに占用されるシンボル数が２であり、占用されるＰＲＢの数が１であり、すなわち、ＰＵＣＣＨ  ｆｏｒｍａｔ  ４に占用される帯域幅
【数３４５】
2021503793.tif 000347
であるとする。
【０１５８】
移動通信端末は、ＰＵＣＣＨ  ｆｏｒｍａｔ  ４に対応する電力調整値を
【数３４６】
2021503793.tif 000348
で計算し、
【数３４７】
2021503793.tif 000349
、
【数３４８】
2021503793.tif 000350
から、
【数３４９】
2021503793.tif 000351
となる。
【数３５０】
2021503793.tif 000352
とすると、
【数３５１】
2021503793.tif 000353
となる。
【０１５９】
本開示の実施例は、アップリンク電力の制御がＮＲにおけるＰＵＣＣＨ  ｆｏｒｍａｔ  ３とＰＵＣＣＨ  ｆｏｒｍａｔ  ４に適応し、ＮＲにおけるＰＵＣＣＨ  ｆｏｒｍａｔ  ３とＰＵＣＣＨ  ｆｏｒｍａｔ  ４の伝送性能を保証する。
【０１６０】
図７を参照する。図７は、本開示の実施例における別のアップリンク電力制御方法のフローチャートである。図７に示すように、アップリンク電力制御方法において、以下のステップを含む。
【０１６１】
ステップ１０１６において、第４ＰＵＣＣＨフォーマットに対応するＵＣＩのビット数、前記ＵＣＩを搬送するＲＥの数、および、前記第４ＰＵＣＣＨフォーマットのホッピング設定パラメータを取得する。
【０１６２】
本開示の実施例は、第４ＰＵＣＣＨフォーマットに適応する。
【０１６３】
当該ステップにおいて、移動通信端末は、第４ＰＵＣＣＨフォーマットに対応するＵＣＩのビット数、ＵＣＩを搬送するＲＥの数、および、第４ＰＵＣＣＨフォーマットのホッピング設定パラメータを取得することができる。
【０１６４】
ここで、前記ホッピング設定パラメータは、ＰＵＣＣＨをホッピングＯＮに設定するためのパラメータ、または、ＰＵＣＣＨをホッピングＯＦＦに設定するためのパラメータである。ホッピング設定パラメータは、ハイレイヤによって設定される。
【０１６５】
ステップ１０２６において、アップリンク電力の制御を実現するように、前記ＵＣＩのビット数、前記ＲＥの数および前記第４ＰＵＣＣＨフォーマットのホッピング設定パラメータに基づいてアップリンク電力調整値を計算する。
【０１６６】
当該ステップにおいて、移動通信端末は、ステップ１０１６で取得したＵＣＩのビット数、ＲＥの数および第４ＰＵＣＣＨフォーマットのホッピング設定パラメータに基づいてアップリンク電力調整値を計算することができる。ここで、ＵＣＩのビット数は、２より大きくかつ１１以下であってもよく、１１より大きくてもよい。
【０１６７】
どのようにアップリンク電力調整値によってアップリンク電力の制御を実現するかは、図１に示す実施例の関連記載を参照し、重複を避けるために、これについて繰り返して記載しない。
【０１６８】
具体的に、ＵＣＩのビット数が２より大きくかつ１１以下である場合、ステップ１０２６でアップリンク電力調整値の計算は、以下の式で実現される。
【数３５２】
2021503793.tif 000354
ここで、
【数３５３】
2021503793.tif 000355
：前記アップリンク電力調整値；
【数３５４】
2021503793.tif 000356
：前記ＵＣＩのビット数；
【数３５５】
2021503793.tif 000357
：前記ＲＥの数であり、
【数３５６】
2021503793.tif 000358
；
【数３５７】
2021503793.tif 000359
：前記第４ＰＵＣＣＨフォーマットに占用されるシンボル数；
【数３５８】
2021503793.tif 000360
：前記第４ＰＵＣＣＨフォーマットのうちのＤＭＲＳに占用されるシンボル数；
【数３５９】
2021503793.tif 000361
：前記第４ＰＵＣＣＨフォーマットに占用される帯域幅；
ｋ：所定値；前記ｋの値は、前記第４ＰＵＣＣＨフォーマットのホッピング設定パラメータに関係し、または、前記第４ＰＵＣＣＨフォーマットのホッピング設定パラメータに関係しない。
【０１６９】
ＵＣＩのビット数が１１より大きい場合、ステップ１０２６でアップリンク電力調整値の計算は、以下の式で実現される。
【数３６０】
2021503793.tif 000362
ここで、
【数３６１】
2021503793.tif 000363
：前記アップリンク電力調整値；
【数３６２】
2021503793.tif 000364
：前記ＵＣＩのビット数；
【数３６３】
2021503793.tif 000365
：前記ＲＥの数であり、
【数３６４】
2021503793.tif 000366
；
【数３６５】
2021503793.tif 000367
：前記第４ＰＵＣＣＨフォーマットに占用されるシンボル数；
【数３６６】
2021503793.tif 000368
：前記第４ＰＵＣＣＨフォーマットのうちのＤＭＲＳに占用されるシンボル数；
【数３６７】
2021503793.tif 000369
：前記第４ＰＵＣＣＨフォーマットに占用される帯域幅；
【数３６８】
2021503793.tif 000370
：ｐｏｌａｒ符号化ゲインの関連関数であり、線形関数であってもよく、非線形関数であってもよい。
【０１７０】
選択可能に、前記第４ＰＵＣＣＨフォーマットに占用される帯域幅は、サブキャリアの数で示される。
前記ｋの値が前記第４ＰＵＣＣＨフォーマットのホッピング設定パラメータに関係する場合、前記ｋの値の範囲として、
前記第４ＰＵＣＣＨフォーマットのホッピングＯＦＦの際に、前記ｋの値の範囲は、７以上かつ９以下であり、
前記第４ＰＵＣＣＨフォーマットのホッピングＯＮの際に、前記ｋの値の範囲は、３以上でありかつ５より小さい。
または、前記ｋの値が前記第４ＰＵＣＣＨフォーマットのホッピング設定パラメータに関係しない場合、前記ｋの値の範囲は、３以上かつ９以下である。
【０１７１】
当該実施形態において、ｋの値が前記第４ＰＵＣＣＨフォーマットのホッピング設定パラメータに関係する場合、次の例が挙げられる。
たとえば、ホッピングＯＦＦのＰＵＣＣＨ  ｆｏｒｍａｔ  ３でアップリンクフィードバックを行うように基地局から移動通信端末に指示し、フィードバックが必要なＵＣＩのビット数が１０であり、ＰＵＣＣＨ  ｆｏｒｍａｔ  ３に占用されるシンボル数が１４であり、そのうちＤＭＲＳに占用されるシンボル数が２であり、占用されるＰＲＢの数が１であり、すなわちＰＵＣＣＨ  ｆｏｒｍａｔ  ３に占用される帯域
【数３６９】
2021503793.tif 000371
であるとする。
【０１７２】
移動通信端末は、ホッピングＯＦＦのＰＵＣＣＨ  ｆｏｒｍａｔ  ３に対応する電力調整値を
【数３７０】
2021503793.tif 000372
で計算し、
【数３７１】
2021503793.tif 000373
、
【数３７２】
2021503793.tif 000374
から、
【数３７３】
2021503793.tif 000375
となる。ｋ＝７．８の場合、
【数３７４】
2021503793.tif 000376
となる。
【０１７３】
また、たとえば、ホッピングＯＮのＰＵＣＣＨ  ｆｏｒｍａｔ  ３でアップリンクフィードバックを行うように基地局から移動通信端末に指示し、フィードバックが必要なＵＣＩのビット数が１０であり、ＰＵＣＣＨ  ｆｏｒｍａｔ  ３に占用されるシンボル数が１４であり、そのうちＤＭＲＳに占用されるシンボル数が２であり、占用されるＰＲＢの数が１であり、すなわちＰＵＣＣＨ  ｆｏｒｍａｔ  ３に占用される帯域
【数３７５】
2021503793.tif 000377
であるとする。
【０１７４】
移動通信端末は、ホッピングＯＮのＰＵＣＣＨ  ｆｏｒｍａｔ  ３に対応する電力調整値を
【数３７６】
2021503793.tif 000378
で計算し、
【数３７７】
2021503793.tif 000379
、
【数３７８】
2021503793.tif 000380
から、
【数３７９】
2021503793.tif 000381
となる。ｋ＝３．４の場合、
【数３８０】
2021503793.tif 000382
となる。
【０１７５】
また、たとえば、ＰＵＣＣＨ  ｆｏｒｍａｔ  ４でアップリンクフィードバックを行うように基地局から移動通信端末に指示し、フィードバックが必要なＵＣＩのビット数が３０であり、ＰＵＣＣＨ  ｆｏｒｍａｔ  ４に占用されるシンボル数が１４であり、そのうちＤＭＲＳに占用されるシンボル数が２であり、占用されるＰＲＢの数が１であり、すなわちＰＵＣＣＨ  ｆｏｒｍａｔ  ４に占用される帯域
【数３８１】
2021503793.tif 000383
であるとする。
【０１７６】
移動通信端末は、ＰＵＣＣＨ  ｆｏｒｍａｔ  ４に対応する電力調整値を
【数３８２】
2021503793.tif 000384
で計算し、
【数３８３】
2021503793.tif 000385
、
【数３８４】
2021503793.tif 000386
から、
【数３８５】
2021503793.tif 000387
となる。
【数３８６】
2021503793.tif 000388
とする場合、
【数３８７】
2021503793.tif 000389
となる。
【０１７７】
ｋの値が前記第４ＰＵＣＣＨフォーマットのホッピング設定パラメータに関係しない場合、ＰＵＣＣＨ  ｆｏｒｍａｔ  ３のホッピングＯＮ／ＯＦＦにかかわらず、ｋは、同一の所定値であり、たとえば予め４．４７８５に定められる。
【０１７８】
ＰＵＣＣＨ  ｆｏｒｍａｔ  ３でアップリンクフィードバックを行うように基地局から移動通信端末に指示し、フィードバックが必要なＵＣＩのビット数が１０であり、ＰＵＣＣＨ  ｆｏｒｍａｔ  ３に占用されるシンボル数が１４であり、そのうちＤＭＲＳに占用されるシンボル数が２であり、占用されるＰＲＢの数が１であり、すなわちＰＵＣＣＨ  ｆｏｒｍａｔ  ３に占用される帯域
【数３８８】
2021503793.tif 000390
であるとする。
【０１７９】
移動通信端末は、ＰＵＣＣＨ  ｆｏｒｍａｔ  ３に対応する電力調整値を
【数３８９】
2021503793.tif 000391
で計算し、
【数３９０】
2021503793.tif 000392
、
【数３９１】
2021503793.tif 000393
から、
【数３９２】
2021503793.tif 000394
となる。ｋがホッピングＯＮ／ＯＦＦとは関係なしに４．４７８５であることから、
【数３９３】
2021503793.tif 000395
となる。
【０１８０】
本開示の実施例は、アップリンク電力の制御がＮＲにおけるＰＵＣＣＨ  ｆｏｒｍａｔ  ３とＰＵＣＣＨ  ｆｏｒｍａｔ  ４に適応し、ＮＲにおけるＰＵＣＣＨ  ｆｏｒｍａｔ  ３とＰＵＣＣＨ  ｆｏｒｍａｔ  ４の伝送性能を保証する。
【０１８１】
図８を参照する。図８は、本開示の実施例における別のアップリンク電力制御方法のフローチャートである。図８に示すように、アップリンク電力制御方法において、前記アップリンクチャネルフォーマットは、２ビットより大きい短いＰＵＣＣＨフォーマットである第３ＰＵＣＣＨフォーマット、または、２ビットより大きい長いＰＵＣＣＨフォーマットである第４ＰＵＣＣＨフォーマットであり、以下のステップを含む。
【０１８２】
ステップ１０１７において、ＰＵＣＣＨフォーマットに対応するＵＣＩのビット数、および、前記ＵＣＩを搬送するＲＥの数を取得する。
【０１８３】
本開示の実施例は、第３ＰＵＣＣＨフォーマットにも適応し、第４ＰＵＣＣＨフォーマットにも適応する。
【０１８４】
当該ステップにおいて、移動通信端末は、ＰＵＣＣＨフォーマットに対応するＵＣＩのビット数、および、ＵＣＩを搬送するＲＥの数を取得することができる。
【０１８５】
ステップ１０２７において、前記ＵＣＩのビット数および前記ＲＥの数に基づいて前記アップリンク電力調整値を計算する。
【０１８６】
当該ステップにおいて、移動通信端末は、ステップ１０１７で取得したＵＣＩのビット数および前記ＲＥの数に基づいてアップリンク電力調整値を計算することができる。ここで、ＵＣＩのビット数は、２より大きくかつ１１以下であってもよく、１１より大きくてもよい。
【０１８７】
どのようにアップリンク電力調整値によってアップリンク電力の制御を実現するかは、図１に示す実施例の関連記載を参照し、重複を避けるために、これについて繰り返して記載しない。
【０１８８】
具体的に、ＵＣＩのビット数が２より大きくかつ１１以下である場合、ステップ１０２７でアップリンク電力調整値の計算は、以下の式で実現される。
【数３９４】
2021503793.tif 000396
ここで、
【数３９５】
2021503793.tif 000397
：前記アップリンク電力調整値；
【数３９６】
2021503793.tif 000398
：前記ＵＣＩのビット数；
【数３９７】
2021503793.tif 000399
：前記ＲＥの数；
ここで、ＰＵＣＣＨが第３ＰＵＣＣＨフォーマットである場合、
【数３９８】
2021503793.tif 000400
；ＰＵＣＣＨが第４ＰＵＣＣＨフォーマットである場合、
【数３９９】
2021503793.tif 000401
；
【数４００】
2021503793.tif 000402
：前記ＰＵＣＣＨに占用されるシンボル数；
【数４０１】
2021503793.tif 000403
：前記ＰＵＣＣＨのうちのＤＭＲＳに占用されるシンボル数；
【数４０２】
2021503793.tif 000404
：前記ＰＵＣＣＨに占用される帯域幅；ｋ：所定値である。
【０１８９】
本開示の実施例において、ＰＵＣＣＨフォーマットが第３ＰＵＣＣＨフォーマットであるか、第４ＰＵＣＣＨフォーマットであるかにかかわらず、ｋの値が同じである。
【０１９０】
選択可能に、前記ＰＵＣＣＨに占用される帯域幅は、サブキャリアの数で示され、前記ｋの値の範囲は、３以上かつ９以下である。
【０１９１】
たとえば、ＰＵＣＣＨ  ｆｏｒｍａｔ  ２、ＰＵＣＣＨ  ｆｏｒｍａｔ  ３、ＰＵＣＣＨ  ｆｏｒｍａｔ  ４に対し唯一のｋの値を予め定め、予め５．１２８６に定めるとする。
【０１９２】
たとえば、ＰＵＣＣＨ  ｆｏｒｍａｔ  ２でアップリンクフィードバックを行うように基地局から移動通信端末に指示し、フィードバックが必要なＵＣＩビット数が５であり、ＰＵＣＣＨ  ｆｏｒｍａｔ  ２に占用されるシンボル数が２であり、占用されるＰＲＢの数が２であり、すなわちＰＵＣＣＨ  ｆｏｒｍａｔ  ２に占用される帯域幅
【数４０３】
2021503793.tif 000405
であるとする。
【０１９３】
移動通信端末は、ＰＵＣＣＨ  ｆｏｒｍａｔ  ２に対応する電力調整値を
【数４０４】
2021503793.tif 000406
で計算し、
【数４０５】
2021503793.tif 000407
、
【数４０６】
2021503793.tif 000408
から、
【数４０７】
2021503793.tif 000409
となる。
【０１９４】
同様に、たとえば、ＰＵＣＣＨ  ｆｏｒｍａｔ  ３でアップリンクフィードバックを行うように基地局から移動通信端末に指示し、フィードバックが必要なＵＣＩビット数が１０であり、ＰＵＣＣＨ  ｆｏｒｍａｔ  ３に占用されるシンボル数が１４であり、そのうちＤＭＲＳに占用されるシンボル数が２であり、占用されるＰＲＢの数が１であり、すなわちＰＵＣＣＨ  ｆｏｒｍａｔ  ３に占用される帯域幅
【数４０８】
2021503793.tif 000410
であるとする。
【０１９５】
移動通信端末は、ＰＵＣＣＨ  ｆｏｒｍａｔ  ３に対応する電力調整値を
【数４０９】
2021503793.tif 000411
で計算し、
【数４１０】
2021503793.tif 000412
、
【数４１１】
2021503793.tif 000413
から、
【数４１２】
2021503793.tif 000414
となる。
【０１９６】
本開示の実施例は、アップリンク電力の制御がＮＲにおけるＰＵＣＣＨ  ｆｏｒｍａｔ  ２、ＰＵＣＣＨ  ｆｏｒｍａｔ  ３、ＰＵＣＣＨ  ｆｏｒｍａｔ  ４に適応し、ＮＲにおけるＰＵＣＣＨ  ｆｏｒｍａｔ  ２、ＰＵＣＣＨ  ｆｏｒｍａｔ  ３、ＰＵＣＣＨ  ｆｏｒｍａｔ  ４の伝送性能を保証する。
【０１９７】
図９を参照する。図９は、本開示の実施例における移動通信端末の構造図である。図９に示すように、移動通信端末２００は、
アップリンクチャネルフォーマットに対応するアップリンク伝送パラメータを取得するための取得モジュール２０１と、
アップリンク電力の制御を実現するように、前記アップリンク伝送パラメータに基づいてアップリンク電力調整値を計算するための計算モジュール２０２と、を含む。
【０１９８】
選択可能に、前記アップリンクチャネルフォーマットは、２ビット以下の短いＰＵＣＣＨフォーマットである第１ＰＵＣＣＨフォーマットであり、
前記取得モジュール２０１は、具体的に、
前記第１ＰＵＣＣＨフォーマットに占用されるシンボル数を取得することに用いられ、
前記計算モジュール２０２は、具体的に、
アップリンク電力の制御を実現するように、前記第１ＰＵＣＣＨフォーマットに占用されるシンボル数に基づいて前記アップリンク電力調整値を計算することに用いられる。
【０１９９】
選択可能に、前記計算モジュール２０２は、具体的に、前記アップリンク電力調整値を以下の式で計算することに用いられる。
【数４１３】
2021503793.tif 000415
ここで、
【数４１４】
2021503793.tif 000416
：前記アップリンク電力調整値；
【数４１５】
2021503793.tif 000417
：前記第１ＰＵＣＣＨフォーマットに占用されるシンボル数；
【数４１６】
2021503793.tif 000418
：前記第１ＰＵＣＣＨフォーマットに対応する参照係数である。
【０２００】
選択可能に、前記
【数４１７】
2021503793.tif 000419
の値は、所定値またはハイレイヤシグナリングによって設定された値である。
【０２０１】
選択可能に、前記アップリンクチャネルフォーマットは、２ビット以下の長いＰＵＣＣＨフォーマットである第２ＰＵＣＣＨフォーマットであり、
前記取得モジュール２０１は、具体的に、
前記第２ＰＵＣＣＨフォーマットに占用されるシンボル数、および、前記第２ＰＵＣＣＨフォーマットのうちのＤＭＲＳに占用されるシンボル数を取得することに用いられ、
前記計算モジュール２０２は、具体的に、
アップリンク電力の制御を実現するように、前記第２ＰＵＣＣＨフォーマットに占用されるシンボル数、および、前記第２ＰＵＣＣＨフォーマットのうちのＤＭＲＳに占用されるシンボル数に基づいて前記アップリンク電力調整値を計算することに用いられる。
【０２０２】
選択可能に、前記計算モジュール２０２は、具体的に、前記アップリンク電力調整値を以下の式で計算することに用いられる。
【数４１８】
2021503793.tif 000420
ここで、
【数４１９】
2021503793.tif 000421
：前記アップリンク電力調整値；
【数４２０】
2021503793.tif 000422
：前記第２ＰＵＣＣＨフォーマットに占用されるシンボル数；
【数４２１】
2021503793.tif 000423
：前記第２ＰＵＣＣＨフォーマットのうちのＤＭＲＳに占用されるシンボル数；
【数４２２】
2021503793.tif 000424
：前記第２ＰＵＣＣＨフォーマットに対応する参照係数である。
【０２０３】
選択可能に、前記
【数４２３】
2021503793.tif 000425
の値は、所定値またはハイレイヤシグナリングによって設定された値である。
【０２０４】
選択可能に、前記アップリンクチャネルフォーマットは、２ビットより大きい短いＰＵＣＣＨフォーマットである第３ＰＵＣＣＨフォーマットであり、
前記取得モジュール２０１は、具体的に、
前記第３ＰＵＣＣＨフォーマットに対応するＵＣＩのビット数、および、前記ＵＣＩを搬送するリソースエレメントＲＥの数を取得することに用いられ、
前記計算モジュール２０２は、具体的に、
アップリンク電力の制御を実現するように、前記ＵＣＩのビット数および前記ＲＥの数に基づいて前記アップリンク電力調整値を計算することに用いられる。
【０２０５】
選択可能に、前記計算モジュール２０２は、具体的に、
前記ＵＣＩのビット数が２より大きくかつ１１以下である場合、前記アップリンク電力調整値を以下の式で
【数４２４】
2021503793.tif 000426
ここで、
【数４２５】
2021503793.tif 000427
：前記アップリンク電力調整値；
【数４２６】
2021503793.tif 000428
：前記ＵＣＩのビット数；
【数４２７】
2021503793.tif 000429
：前記ＲＥの数であり、
【数４２８】
2021503793.tif 000430
；
【数４２９】
2021503793.tif 000431
：前記第３ＰＵＣＣＨフォーマットに占用されるシンボル数；
【数４３０】
2021503793.tif 000432
：前記第３ＰＵＣＣＨフォーマットに占用される帯域幅；
ｋ：所定値；
計算することに用いられ、
前記ＵＣＩのビット数が１１より大きい場合、前記アップリンク電力調整値を以下の式で
【数４３１】
2021503793.tif 000433
ここで、
【数４３２】
2021503793.tif 000434
：前記アップリンク電力調整値；
【数４３３】
2021503793.tif 000435
：前記ＵＣＩのビット数；
【数４３４】
2021503793.tif 000436
：前記ＲＥの数であり、
【数４３５】
2021503793.tif 000437
；
【数４３６】
2021503793.tif 000438
：前記第３ＰＵＣＣＨフォーマットに占用されるシンボル数；
【数４３７】
2021503793.tif 000439
：前記第３ＰＵＣＣＨフォーマットに占用される帯域幅；
【数４３８】
2021503793.tif 000440
：ｐｏｌａｒ符号化ゲインの関連関数；
計算することに用いられる。
【０２０６】
選択可能に、前記第３ＰＵＣＣＨフォーマットに占用される帯域幅は、サブキャリアの数で示され、前記ｋの値の範囲は、３以上かつ７以下である。
【０２０７】
選択可能に、前記アップリンクチャネルフォーマットは、２ビットより大きい短いＰＵＣＣＨフォーマットである第３ＰＵＣＣＨフォーマットである。
前記取得モジュール２０１は、具体的に、
前記第３ＰＵＣＣＨフォーマットに対応するＵＣＩのビット数、前記ＵＣＩを搬送するＲＥの数、および、前記第３ＰＵＣＣＨフォーマットのホッピング設定パラメータを取得することに用いられる。
前記ホッピング設定パラメータは、ＰＵＣＣＨをホッピングＯＮに設定するパラメータ、または、ＰＵＣＣＨをホッピングＯＦＦに設定するパラメータを含む。
前記計算モジュール２０２は、具体的に、前記ＵＣＩのビット数、前記ＲＥの数および前記第３ＰＵＣＣＨフォーマットのホッピング設定パラメータに基づいて前記アップリンク電力調整値を計算することに用いられる。
【０２０８】
選択可能に、前記計算モジュール２０２は、具体的に、
前記ＵＣＩのビット数が２より大きくかつ１１以下である場合、前記アップリンク電力調整値を以下の式で
【数４３９】
2021503793.tif 000441
ここで、
【数４４０】
2021503793.tif 000442
：前記アップリンク電力調整値；
【数４４１】
2021503793.tif 000443
：前記ＵＣＩのビット数；
【数４４２】
2021503793.tif 000444
：前記ＲＥの数であり、
【数４４３】
2021503793.tif 000445
；
【数４４４】
2021503793.tif 000446
：前記第３ＰＵＣＣＨフォーマットに占用されるシンボル数；
【数４４５】
2021503793.tif 000447
：前記第３ＰＵＣＣＨフォーマットに占用される帯域幅；
ｋ：所定値；前記ｋの値は、前記第３ＰＵＣＣＨフォーマットのホッピング設定パラメータに関係し、または、前記第３ＰＵＣＣＨフォーマットのホッピング設定パラメータに関係せず；
計算することに用いられ、
前記ＵＣＩのビット数が１１より大きい場合、前記アップリンク電力調整値を以下の式で
【数４４６】
2021503793.tif 000448
ここで、
【数４４７】
2021503793.tif 000449
：前記アップリンク電力調整値；
【数４４８】
2021503793.tif 000450
：前記ＵＣＩのビット数；
【数４４９】
2021503793.tif 000451
：前記ＲＥの数であり、
【数４５０】
2021503793.tif 000452
；
【数４５１】
2021503793.tif 000453
：前記第３ＰＵＣＣＨフォーマットに占用されるシンボル数；
【数４５２】
2021503793.tif 000454
：前記第３ＰＵＣＣＨフォーマットに占用される帯域幅；
【数４５３】
2021503793.tif 000455
：ｐｏｌａｒ符号化ゲインの関連関数；
計算することに用いられる。
【０２０９】
選択可能に、前記第３ＰＵＣＣＨフォーマットに占用される帯域幅は、サブキャリアの数で示される。
前記ｋの値が前記第３ＰＵＣＣＨフォーマットのホッピング設定パラメータに関係する場合、前記ｋの値の範囲として、
前記第３ＰＵＣＣＨフォーマットのホッピングＯＦＦの際に、前記ｋの値の範囲は、５以上かつ７以下であり、
前記第３ＰＵＣＣＨフォーマットのホッピングＯＮの際に、前記ｋの値の範囲は、３以上でありかつ５より小さい。
または、前記ｋの値が前記第３ＰＵＣＣＨフォーマットのホッピング設定パラメータに関係しない場合、前記ｋの値の範囲は、３以上かつ７以下である。
【０２１０】
選択可能に、前記アップリンクチャネルフォーマットは、２ビットより大きい長いＰＵＣＣＨフォーマットである第４ＰＵＣＣＨフォーマットであり、
前記取得モジュール２０１は、具体的に、
前記第４ＰＵＣＣＨフォーマットに対応するＵＣＩのビット数、および、前記ＵＣＩを搬送するＲＥの数を取得することに用いられ、
前記計算モジュール２０２は、具体的に、
アップリンク電力の制御を実現するように、前記ＵＣＩのビット数および前記ＲＥの数に基づいて前記アップリンク電力調整値を計算することに用いられる。
【０２１１】
選択可能に、前記計算モジュール２０２は、具体的に、
前記ＵＣＩのビット数が２より大きくかつ１１以下である場合、前記アップリンク電力調整値を以下の式で
【数４５４】
2021503793.tif 000456
ここで、
【数４５５】
2021503793.tif 000457
：前記アップリンク電力調整値；
【数４５６】
2021503793.tif 000458
：前記ＵＣＩのビット数；
【数４５７】
2021503793.tif 000459
：前記ＲＥの数であり、
【数４５８】
2021503793.tif 000460
；
【数４５９】
2021503793.tif 000461
：前記第４ＰＵＣＣＨフォーマットに占用されるシンボル数；
【数４６０】
2021503793.tif 000462
：前記第４ＰＵＣＣＨフォーマットのうちのＤＭＲＳに占用されるシンボル数；
【数４６１】
2021503793.tif 000463
：前記第４ＰＵＣＣＨフォーマットに占用される帯域幅；
ｋ：所定値；
計算することに用いられ、
前記ＵＣＩのビット数が１１より大きい場合、前記アップリンク電力調整値を以下の式で
【数４６２】
2021503793.tif 000464
ここで、
【数４６３】
2021503793.tif 000465
：前記アップリンク電力調整値；
【数４６４】
2021503793.tif 000466
：前記ＵＣＩのビット数；
【数４６５】
2021503793.tif 000467
：前記ＲＥの数であり、
【数４６６】
2021503793.tif 000468
；
【数４６７】
2021503793.tif 000469
：前記第４ＰＵＣＣＨフォーマットに占用されるシンボル数；
【数４６８】
2021503793.tif 000470
：前記第４ＰＵＣＣＨフォーマットのうちのＤＭＲＳに占用されるシンボル数；
【数４６９】
2021503793.tif 000471
：前記第４ＰＵＣＣＨフォーマットに占用される帯域幅；
【数４７０】
2021503793.tif 000472
：ｐｏｌａｒ符号化ゲインの関連関数；
計算することに用いられる。
【０２１２】
選択可能に、前記第４ＰＵＣＣＨフォーマットに占用される帯域幅は、サブキャリアの数で示され、前記ｋの値の範囲は、３以上かつ９以下である。
【０２１３】
選択可能に、前記アップリンクチャネルフォーマットは、２ビットより大きい長いＰＵＣＣＨフォーマットである第４ＰＵＣＣＨフォーマットである。
前記取得モジュール２０１は、具体的に、
前記第４ＰＵＣＣＨフォーマットに対応するＵＣＩのビット数、前記ＵＣＩを搬送するＲＥの数、および、前記第４ＰＵＣＣＨフォーマットのホッピング設定パラメータを取得することに用いられる。
前記ホッピング設定パラメータは、ＰＵＣＣＨをホッピングＯＮに設定するパラメータ、または、ＰＵＣＣＨをホッピングＯＦＦに設定するパラメータを含む。
前記計算モジュール２０２は、具体的に、
前記ＵＣＩのビット数、前記ＲＥの数および前記第４ＰＵＣＣＨフォーマットのホッピング設定パラメータに基づいて前記アップリンク電力調整値を計算することに用いられる。
【０２１４】
選択可能に、前記計算モジュール２０２は、具体的に、
前記ＵＣＩのビット数が２より大きくかつ１１以下である場合、前記アップリンク電力調整値を以下の式で
【数４７１】
2021503793.tif 000473
ここで、
【数４７２】
2021503793.tif 000474
：前記アップリンク電力調整値；
【数４７３】
2021503793.tif 000475
：前記ＵＣＩのビット数；
【数４７４】
2021503793.tif 000476
：前記ＲＥの数であり、
【数４７５】
2021503793.tif 000477
；
【数４７６】
2021503793.tif 000478
：前記第４ＰＵＣＣＨフォーマットに占用されるシンボル数；
【数４７７】
2021503793.tif 000479
：前記第４ＰＵＣＣＨフォーマットのうちのＤＭＲＳに占用されるシンボル数；
【数４７８】
2021503793.tif 000480
：前記第４ＰＵＣＣＨフォーマットに占用される帯域幅；
ｋ：所定値；前記ｋの値は、前記第４ＰＵＣＣＨフォーマットのホッピング設定パラメータに関係し、または、前記第４ＰＵＣＣＨフォーマットのホッピング設定パラメータに関係せず；
計算することに用いられ、
前記ＵＣＩのビット数が１１より大きい場合、前記アップリンク電力調整値を以下の式で
【数４７９】
2021503793.tif 000481
ここで、
【数４８０】
2021503793.tif 000482
：前記アップリンク電力調整値；
【数４８１】
2021503793.tif 000483
：前記ＵＣＩのビット数；
【数４８２】
2021503793.tif 000484
：前記ＲＥの数であり、
【数４８３】
2021503793.tif 000485
；
【数４８４】
2021503793.tif 000486
：前記第４ＰＵＣＣＨフォーマットに占用されるシンボル数；
【数４８５】
2021503793.tif 000487
：前記第４ＰＵＣＣＨフォーマットのうちのＤＭＲＳに占用されるシンボル数；
【数４８６】
2021503793.tif 000488
：前記第４ＰＵＣＣＨフォーマットに占用される帯域幅；
【数４８７】
2021503793.tif 000489
：ｐｏｌａｒ符号化ゲインの関連関数；
計算することに用いられる。
【０２１５】
選択可能に、前記第４ＰＵＣＣＨフォーマットに占用される帯域幅は、サブキャリアの数で示される。
前記ｋの値が前記第４ＰＵＣＣＨフォーマットのホッピング設定パラメータに関係する場合、前記ｋの値の範囲として、
前記第４ＰＵＣＣＨフォーマットのホッピングＯＦＦの際に、前記ｋの値の範囲は、７以上かつ９以下であり、
前記第４ＰＵＣＣＨフォーマットのホッピングＯＮの際に、前記ｋの値の範囲は、３以上でありかつ５より小さい。
または、前記ｋの値が前記第４ＰＵＣＣＨフォーマットのホッピング設定パラメータに関係しない場合、前記ｋの値の範囲は、３以上かつ９以下である。
【０２１６】
選択可能に、前記第４ＰＵＣＣＨフォーマットは、ユーザ多重化をサポートするＰＵＣＣＨフォーマットと、ユーザ多重化をサポートしないＰＵＣＣＨフォーマットの２種類を含む。
【０２１７】
選択可能に、前記アップリンクチャネルフォーマットは、２ビットより大きい短いＰＵＣＣＨフォーマットである第３ＰＵＣＣＨフォーマット、または、２ビットより大きい長いＰＵＣＣＨフォーマットである第４ＰＵＣＣＨフォーマットであり、
前記取得モジュール２０１は、具体的に、
ＰＵＣＣＨフォーマットに対応するＵＣＩのビット数、および、前記ＵＣＩを搬送するＲＥの数を取得することに用いられ、
前記計算モジュール２０２は、具体的に、
前記ＵＣＩのビット数および前記ＲＥの数に基づいて前記アップリンク電力調整値を計算することに用いられる。
【０２１８】
選択可能に、前記計算モジュール２０２は、具体的に、
前記ＵＣＩのビット数が２より大きくかつ１１以下である場合、前記アップリンク電力調整値を以下の式で
【数４８８】
2021503793.tif 000490
ここで、
【数４８９】
2021503793.tif 000491
：前記アップリンク電力調整値；
【数４９０】
2021503793.tif 000492
：前記ＵＣＩのビット数；
【数４９１】
2021503793.tif 000493
：前記ＲＥの数；
ここで、ＰＵＣＣＨが第３ＰＵＣＣＨフォーマットである場合、
【数４９２】
2021503793.tif 000494
；ＰＵＣＣＨが第４ＰＵＣＣＨフォーマットである場合、
【数４９３】
2021503793.tif 000495
；
【数４９４】
2021503793.tif 000496
：前記ＰＵＣＣＨに占用されるシンボル数；
【数４９５】
2021503793.tif 000497
：前記ＰＵＣＣＨのうちのＤＭＲＳに占用されるシンボル数；
【数４９６】
2021503793.tif 000498
：前記ＰＵＣＣＨに占用される帯域幅；
ｋ：所定値；
計算することに用いられる。
【０２１９】
選択可能に、前記ＰＵＣＣＨに占用される帯域幅は、サブキャリアの数で示され、前記ｋの値の範囲は、３以上かつ９以下である。
【０２２０】
なお、本実施例における上記移動通信端末２００は、本開示の実施例の方法実施例の任意の実施形態の移動通信端末であり、本開示の実施例の方法実施例の移動通信端末の任意の実施形態を、本実施例における上記移動通信端末２００によって実現可能であり、同一の効果を奏することもでき、ここでは繰り返して記載しない。
【０２２１】
図１０を参照する。図１０は、本実施例における別の移動通信端末の構造図である。図１０に示すように、当該移動通信端末は、プロセッサ３００と、メモリ３１０と、バスインタフェースを含む。
プロセッサ３００は、メモリ３１０からプログラムを読み取ることによって、
アップリンクチャネルフォーマットに対応するアップリンク伝送パラメータを取得するプロセスと、
アップリンク電力の制御を実現するように、前記アップリンク伝送パラメータに基づいてアップリンク電力調整値を計算するプロセスと、を実行することに用いられる。
【０２２２】
図１０において、バスアーキテクチャは、任意数の相互接続するバスとブリッジを含み、具体的に、プロセッサ３００をはじめとする１つ又は複数のプロセッサとメモリ３１０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。
【０２２３】
プロセッサ３００は、バスアーキテクチャと通常の処理を管理する。メモリ３１０は、プロセッサ３００による操作実行に使用されるデータを記憶できる。
【０２２４】
選択可能に、前記アップリンクチャネルフォーマットは、２ビット以下の短いＰＵＣＣＨフォーマットである第１ＰＵＣＣＨフォーマットであり、
プロセッサ３００は、前記コンピュータプログラムを実行すると、
前記第１ＰＵＣＣＨフォーマットに占用されるシンボル数を取得するステップと、
アップリンク電力の制御を実現するように、前記第１ＰＵＣＣＨフォーマットに占用されるシンボル数に基づいて前記アップリンク電力調整値を計算するステップとをさらに実現する。
【０２２５】
選択可能に、プロセッサ３００は、前記コンピュータプログラムを実行すると、
前記アップリンク電力調整値を以下の式で
【数４９７】
2021503793.tif 000499
ここで、
【数４９８】
2021503793.tif 000500
：前記アップリンク電力調整値；
【数４９９】
2021503793.tif 000501
：前記第１ＰＵＣＣＨフォーマットに占用されるシンボル数；
【数５００】
2021503793.tif 000502
：前記第１ＰＵＣＣＨフォーマットに対応する参照係数；
計算するステップをさらに実現する。
【０２２６】
選択可能に、前記
【数５０１】
2021503793.tif 000503
の値は、所定値またはハイレイヤシグナリングによって設定された値である。
【０２２７】
選択可能に、前記アップリンクチャネルフォーマットは、２ビット以下の長いＰＵＣＣＨフォーマットである第２ＰＵＣＣＨフォーマットであり、
プロセッサ３００は、前記コンピュータプログラムを実行すると、
前記第２ＰＵＣＣＨフォーマットに占用されるシンボル数、および、前記第２ＰＵＣＣＨフォーマットのうちのＤＭＲＳに占用されるシンボル数を取得するステップと、
アップリンク電力の制御を実現するように、前記第２ＰＵＣＣＨフォーマットに占用されるシンボル数、および、前記第２ＰＵＣＣＨフォーマットのうちのＤＭＲＳに占用されるシンボル数に基づいて前記アップリンク電力調整値を計算するステップとをさらに実現する。
【０２２８】
選択可能に、プロセッサ３００は、前記コンピュータプログラムを実行すると、
前記アップリンク電力調整値を以下の式で
【数５０２】
2021503793.tif 000504
ここで、
【数５０３】
2021503793.tif 000505
：前記アップリンク電力調整値；
【数５０４】
2021503793.tif 000506
：前記第２ＰＵＣＣＨフォーマットに占用されるシンボル数；
【数５０５】
2021503793.tif 000507
：前記第２ＰＵＣＣＨフォーマットのうちのＤＭＲＳに占用されるシンボル数；
【数５０６】
2021503793.tif 000508
：前記第２ＰＵＣＣＨフォーマットに対応する参照係数；
計算するステップをさらに実現する。
【０２２９】
選択可能に、前記
【数５０７】
2021503793.tif 000509
の値は、所定値またはハイレイヤシグナリングによって設定された値である。
【０２３０】
選択可能に、前記アップリンクチャネルフォーマットは、２ビットより大きい短いＰＵＣＣＨフォーマットである第３ＰＵＣＣＨフォーマットであり、
プロセッサ３００は、前記コンピュータプログラムを実行すると、
前記第３ＰＵＣＣＨフォーマットに対応するＵＣＩのビット数、および、前記ＵＣＩを搬送するＲＥの数を取得するステップと、
アップリンク電力の制御を実現するように、前記ＵＣＩのビット数および前記ＲＥの数に基づいて前記アップリンク電力調整値を計算するステップとをさらに実現する。
【０２３１】
選択可能に、プロセッサ３００は、前記コンピュータプログラムを実行すると、
前記ＵＣＩのビット数が２より大きくかつ１１以下である場合、前記アップリンク電力調整値を以下の式で
【数５０８】
2021503793.tif 000510
ここで、
【数５０９】
2021503793.tif 000511
：前記アップリンク電力調整値；
【数５１０】
2021503793.tif 000512
：前記ＵＣＩのビット数；
【数５１１】
2021503793.tif 000513
：前記ＲＥの数であり、
【数５１２】
2021503793.tif 000514
；
【数５１３】
2021503793.tif 000515
：前記第３ＰＵＣＣＨフォーマットに占用されるシンボル数；
【数５１４】
2021503793.tif 000516
：前記第３ＰＵＣＣＨフォーマットに占用される帯域幅；
ｋ：所定値；
計算するステップをさらに実現し、
前記ＵＣＩのビット数が１１より大きい場合、前記アップリンク電力調整値を以下の式で
【数５１５】
2021503793.tif 000517
ここで、
【数５１６】
2021503793.tif 000518
：前記アップリンク電力調整値；
【数５１７】
2021503793.tif 000519
：前記ＵＣＩのビット数；
【数５１８】
2021503793.tif 000520
：前記ＲＥの数であり、
【数５１９】
2021503793.tif 000521
；
【数５２０】
2021503793.tif 000522
：前記第３ＰＵＣＣＨフォーマットに占用されるシンボル数；
【数５２１】
2021503793.tif 000523
：前記第３ＰＵＣＣＨフォーマットに占用される帯域幅；
【数５２２】
2021503793.tif 000524
：ｐｏｌａｒ符号化ゲインの関連関数；
計算するステップをさらに実現する。
【０２３２】
選択可能に、前記第３ＰＵＣＣＨフォーマットに占用される帯域幅は、サブキャリアの数で示され、前記ｋの値の範囲は、３以上かつ７以下である。
【０２３３】
選択可能に、前記アップリンクチャネルフォーマットは、２ビットより大きい短いＰＵＣＣＨフォーマットである第３ＰＵＣＣＨフォーマットであり、
前記プロセッサ３００は、前記コンピュータプログラムを実行すると、
前記第３ＰＵＣＣＨフォーマットに対応するＵＣＩのビット数、前記ＵＣＩを搬送するＲＥの数、および、前記第３ＰＵＣＣＨフォーマットのホッピング設定パラメータを取得するステップと、
前記ホッピング設定パラメータは、ＰＵＣＣＨをホッピングＯＮに設定するパラメータ、または、ＰＵＣＣＨをホッピングＯＦＦに設定するパラメータを含み、
前記ＵＣＩのビット数、前記ＲＥの数および前記第３ＰＵＣＣＨフォーマットのホッピング設定パラメータに基づいて前記アップリンク電力調整値を計算するステップとをさらに実現する。
【０２３４】
選択可能に、前記プロセッサ３００は、前記コンピュータプログラムを実行すると、
前記ＵＣＩのビット数が２より大きくかつ１１以下である場合、前記アップリンク電力調整値を以下の式で
【数５２３】
2021503793.tif 000525
ここで、
【数５２４】
2021503793.tif 000526
：前記アップリンク電力調整値；
【数５２５】
2021503793.tif 000527
：前記ＵＣＩのビット数；
【数５２６】
2021503793.tif 000528
：前記ＲＥの数であり、
【数５２７】
2021503793.tif 000529
；
【数５２８】
2021503793.tif 000530
：前記第３ＰＵＣＣＨフォーマットに占用されるシンボル数；
【数５２９】
2021503793.tif 000531
：前記第３ＰＵＣＣＨフォーマットに占用される帯域幅；
ｋ：所定値；前記ｋの値は、前記第３ＰＵＣＣＨフォーマットのホッピング設定パラメータに関係し、または、前記第３ＰＵＣＣＨフォーマットのホッピング設定パラメータに関係せず；
計算するステップをさらに実現し、
前記ＵＣＩのビット数が１１より大きい場合、前記アップリンク電力調整値を以下の式で
【数５３０】
2021503793.tif 000532
ここで、
【数５３１】
2021503793.tif 000533
：前記アップリンク電力調整値；
【数５３２】
2021503793.tif 000534
：前記ＵＣＩのビット数；
【数５３３】
2021503793.tif 000535
：前記ＲＥの数であり、
【数５３４】
2021503793.tif 000536
；
【数５３５】
2021503793.tif 000537
：前記第３ＰＵＣＣＨフォーマットに占用されるシンボル数；
【数５３６】
2021503793.tif 000538
：前記第３ＰＵＣＣＨフォーマットに占用される帯域幅；
【数５３７】
2021503793.tif 000539
：ｐｏｌａｒ符号化ゲインの関連関数；
計算するステップをさらに実現する。
【０２３５】
選択可能に、前記第３ＰＵＣＣＨフォーマットに占用される帯域幅は、サブキャリアの数で示される。
前記ｋの値が前記第３ＰＵＣＣＨフォーマットのホッピング設定パラメータに関係する場合、前記ｋの値の範囲として、
前記第３ＰＵＣＣＨフォーマットのホッピングＯＦＦの際に、前記ｋの値の範囲は、５以上かつ７以下であり、
前記第３ＰＵＣＣＨフォーマットのホッピングＯＮの際に、前記ｋの値の範囲は、３以上でありかつ５より小さい。
または、前記ｋの値が前記第３ＰＵＣＣＨフォーマットのホッピング設定パラメータに関係しない場合、前記ｋの値の範囲は、３以上かつ７以下である。
【０２３６】
選択可能に、前記アップリンクチャネルフォーマットは、２ビットより大きい長いＰＵＣＣＨフォーマットである第４ＰＵＣＣＨフォーマットであり、
プロセッサ３００は、前記コンピュータプログラムを実行すると、
前記第４ＰＵＣＣＨフォーマットに対応するＵＣＩのビット数、および、前記ＵＣＩを搬送するＲＥの数を取得するステップと、
アップリンク電力の制御を実現するように、前記ＵＣＩのビット数および前記ＲＥの数に基づいて前記アップリンク電力調整値を計算するステップとをさらに実現する。
【０２３７】
選択可能に、プロセッサ３００は、前記コンピュータプログラムを実行すると、
前記ＵＣＩのビット数が２より大きくかつ１１以下である場合、前記アップリンク電力調整値を以下の式で
【数５３８】
2021503793.tif 000540
ここで、
【数５３９】
2021503793.tif 000541
：前記アップリンク電力調整値；
【数５４０】
2021503793.tif 000542
：前記ＵＣＩのビット数；
【数５４１】
2021503793.tif 000543
：前記ＲＥの数であり、
【数５４２】
2021503793.tif 000544
；
【数５４３】
2021503793.tif 000545
：前記第４ＰＵＣＣＨフォーマットに占用されるシンボル数；
【数５４４】
2021503793.tif 000546
：前記第４ＰＵＣＣＨフォーマットのうちのＤＭＲＳに占用されるシンボル数；
【数５４５】
2021503793.tif 000547
：前記第４ＰＵＣＣＨフォーマットに占用される帯域幅；
ｋ：所定値；
計算するステップをさらに実現し、
前記ＵＣＩのビット数が１１より大きい場合、前記アップリンク電力調整値を以下の式で
【数５４６】
2021503793.tif 000548
ここで、
【数５４７】
2021503793.tif 000549
：前記アップリンク電力調整値；
【数５４８】
2021503793.tif 000550
：前記ＵＣＩのビット数；
【数５４９】
2021503793.tif 000551
：前記ＲＥの数であり、
【数５５０】
2021503793.tif 000552
；
【数５５１】
2021503793.tif 000553
：前記第４ＰＵＣＣＨフォーマットに占用されるシンボル数；
【数５５２】
2021503793.tif 000554
：前記第４ＰＵＣＣＨフォーマットのうちのＤＭＲＳに占用されるシンボル数；
【数５５３】
2021503793.tif 000555
：前記第４ＰＵＣＣＨフォーマットに占用される帯域幅；
【数５５４】
2021503793.tif 000556
：ｐｏｌａｒ符号化ゲインの関連関数；
計算するステップをさらに実現する。
【０２３８】
選択可能に、前記第４ＰＵＣＣＨフォーマットに占用される帯域幅は、サブキャリアの数で示され、前記ｋの値の範囲は、３以上かつ９以下である。
【０２３９】
選択可能に、前記アップリンクチャネルフォーマットは、２ビットより大きい長いＰＵＣＣＨフォーマットである第４ＰＵＣＣＨフォーマットであり、
プロセッサ３００は、前記コンピュータプログラムを実行すると、
前記第４ＰＵＣＣＨフォーマットに対応するＵＣＩのビット数、前記ＵＣＩを搬送するＲＥの数、および、前記第４ＰＵＣＣＨフォーマットのホッピング設定パラメータを取得するステップと、
前記ホッピング設定パラメータは、ＰＵＣＣＨをホッピングＯＮに設定するパラメータ、または、ＰＵＣＣＨをホッピングＯＦＦに設定するパラメータを含み、
前記ＵＣＩのビット数、前記ＲＥの数および前記第４ＰＵＣＣＨフォーマットのホッピング設定パラメータに基づいて前記アップリンク電力調整値を計算するステップとをさらに実現する。
【０２４０】
選択可能に、プロセッサ３００は、前記コンピュータプログラムを実行すると、
前記ＵＣＩのビット数が２より大きくかつ１１以下である場合、前記アップリンク電力調整値を以下の式で
【数５５５】
2021503793.tif 000557
ここで、
【数５５６】
2021503793.tif 000558
：前記アップリンク電力調整値；
【数５５７】
2021503793.tif 000559
：前記ＵＣＩのビット数；
【数５５８】
2021503793.tif 000560
：前記ＲＥの数であり、
【数５５９】
2021503793.tif 000561
；
【数５６０】
2021503793.tif 000562
：前記第４ＰＵＣＣＨフォーマットに占用されるシンボル数；
【数５６１】
2021503793.tif 000563
：前記第４ＰＵＣＣＨフォーマットのうちのＤＭＲＳに占用されるシンボル数；
【数５６２】
2021503793.tif 000564
：前記第４ＰＵＣＣＨフォーマットに占用される帯域幅；
ｋ：所定値；前記ｋの値は、前記第４ＰＵＣＣＨフォーマットのホッピング設定パラメータに関係し、または、前記第４ＰＵＣＣＨフォーマットのホッピング設定パラメータに関係せず；
計算するステップをさらに実現し、
前記ＵＣＩのビット数が１１より大きい場合、前記アップリンク電力調整値を以下の式で
【数５６３】
2021503793.tif 000565
ここで、
【数５６４】
2021503793.tif 000566
：前記アップリンク電力調整値；
【数５６５】
2021503793.tif 000567
：前記ＵＣＩのビット数；
【数５６６】
2021503793.tif 000568
：前記ＲＥの数であり、
【数５６７】
2021503793.tif 000569
；
【数５６８】
2021503793.tif 000570
：前記第４ＰＵＣＣＨフォーマットに占用されるシンボル数；
【数５６９】
2021503793.tif 000571
：前記第４ＰＵＣＣＨフォーマットのうちのＤＭＲＳに占用されるシンボル数；
【数５７０】
2021503793.tif 000572
：前記第４ＰＵＣＣＨフォーマットに占用される帯域幅；
【数５７１】
2021503793.tif 000573
：ｐｏｌａｒ符号化ゲインの関連関数；
計算するステップをさらに実現する。
【０２４１】
選択可能に、前記第４ＰＵＣＣＨフォーマットに占用される帯域幅は、サブキャリアの数で示される。
前記ｋの値が前記第４ＰＵＣＣＨフォーマットのホッピング設定パラメータに関係する場合、前記ｋの値の範囲として、
前記第４ＰＵＣＣＨフォーマットのホッピングＯＦＦの際に、前記ｋの値の範囲は、７以上かつ９以下であり、
前記第４ＰＵＣＣＨフォーマットのホッピングＯＮの際に、前記ｋの値の範囲は、３以上でありかつ５より小さい。
または、前記ｋの値が前記第４ＰＵＣＣＨフォーマットのホッピング設定パラメータに関係しない場合、前記ｋの値の範囲は、３以上かつ９以下である。
【０２４２】
選択可能に、前記第４ＰＵＣＣＨフォーマットは、ユーザ多重化をサポートするＰＵＣＣＨフォーマットと、ユーザ多重化をサポートしないＰＵＣＣＨフォーマットの２種類を含む。
【０２４３】
選択可能に、前記アップリンクチャネルフォーマットは、２ビットより大きい短いＰＵＣＣＨフォーマットである第３ＰＵＣＣＨフォーマット、または、２ビットより大きい長いＰＵＣＣＨフォーマットである第４ＰＵＣＣＨフォーマットであり、
プロセッサ３００は、前記コンピュータプログラムを実行すると、
ＰＵＣＣＨフォーマットに対応するＵＣＩのビット数、および、前記ＵＣＩを搬送するＲＥの数を取得するステップと、
前記ＵＣＩのビット数および前記ＲＥの数に基づいて前記アップリンク電力調整値を計算するステップとをさらに実現する。
【０２４４】
選択可能に、プロセッサ３００は、前記コンピュータプログラムを実行すると、
前記ＵＣＩのビット数が２より大きくかつ１１以下である場合、前記アップリンク電力調整値を以下の式で
【数５７２】
2021503793.tif 000574
ここで、
【数５７３】
2021503793.tif 000575
：前記アップリンク電力調整値；
【数５７４】
2021503793.tif 000576
：前記ＵＣＩのビット数；
【数５７５】
2021503793.tif 000577
：前記ＲＥの数；
ここで、ＰＵＣＣＨが第３ＰＵＣＣＨフォーマットである場合、
【数５７６】
2021503793.tif 000578
；ＰＵＣＣＨが第４ＰＵＣＣＨフォーマットである場合、
【数５７７】
2021503793.tif 000579
；
【数５７８】
2021503793.tif 000580
：前記ＰＵＣＣＨに占用されるシンボル数；
【数５７９】
2021503793.tif 000581
：前記ＰＵＣＣＨのうちのＤＭＲＳに占用されるシンボル数；
【数５８０】
2021503793.tif 000582
：前記ＰＵＣＣＨに占用される帯域幅；
ｋ：所定値；
計算するステップをさらに実現する。
【０２４５】
選択可能に、前記ＰＵＣＣＨに占用される帯域幅は、サブキャリアの数で示され、前記ｋの値の範囲は、３以上かつ９以下である。
【０２４６】
本開示の実施例において、言及されている機器は、送信機器（すなわち基地局）と受信機器（すなわち移動通信端末）を含む。送信機器と、当該送信機器にアクセスする受信機器との間は、ダウンリンク伝送とアップリンク伝送が可能である。
【０２４７】
ここで、基地局は、従来の機器における基地局またはほかの種類の伝送ポイント機器であり、端末は、ユーザ機器である。もちろん、上記の２種類の機器に限られない。たとえば、基地局は、ほかの端末に対し設定操作を行うことのできる端末であってもよい。１つの基地局に複数のネットワークノードを含むと見なしてもよい。ネットワークノードは、ＲＦ（たとえばＲＲＵ（Ｒｅｍｏｔｅ  Ｒａｄｉｏ  Ｕｎｉｔ））のみを含むか、ベースバンドとＲＦの両部分（たとえばアクティブアンテナ（Ａｃｔｉｖｅ  ａｎｔｅｎｎａ））を含む。ネットワークノードは、ベースバンド（たとえばＢＢＵ（Ｂａｓｅｂａｎｄ  Ｕｎｉｔ））のみを含んでもよく、エアインタフェース層のデジタル／ＲＦ機能を一切有さず、ハイレイヤ信号処理のみを司り、エアインタフェース層のベースバンド処理をすべてアクティブアンテナで行うようにしてもよい。それ以外、ネットワークの実現方式は、多種類ある。
【０２４８】
移動通信端末は、ユーザ機器ＵＥ（Ｕｓｅｒ  Ｅｑｕｉｐｍｅｎｔ）と称されてもよく、またはターミナル（Ｔｅｒｍｉｎａｌ）、ＭＳ（Ｍｏｂｉｌｅ  Ｓｔａｔｉｏｎ）、移動端末（Ｍｏｂｉｌｅ  Ｔｅｒｍｉｎａｌ）などと称されてもよい。当該端末は、ＲＡＮ（Ｒａｄｉｏ  Ａｃｃｅｓｓ  Ｎｅｔｗｏｒｋ）を介して１つまたは複数のコアネットワークと通信可能である。たとえば、移動通信端末は、移動電話（または「セルラー」電話と称される）、移動端末を有するコンピュータなどである。たとえば、移動通信端末は、携帯式、ポータブル式、ハンドヘルド式、コンピュータ内蔵式または車載の移動装置であり、無線アクセスネットワークとは音声および／またはデータのやり取りを行う。本開示の実施例における移動通信端末は、Ｄ２Ｄ（Ｄｅｖｉｃｅ  ｔｏ  Ｄｅｖｉｃｅ）端末やＭ２Ｍ（Ｍａｃｈｉｎｅ  ｔｏ  Ｍａｃｈｉｎｅ）端末であってもよい。本開示の実施例において、基地局と移動通信端末について具体的に限定しない。
【０２４９】
本開示の実施例は、コンピュータプログラムが格納されているコンピュータ読み取り可能な記憶媒体をさらに提供する。前記コンピュータプログラムがプロセッサによって実行されると、本開示の実施例における移動通信端末に応用される上記アップリンク電力制御方法のステップが実現される。
【０２５０】
本願で提供されるいくつかの実施例において、開示された方法および装置は、他の方式で実施され得ることを理解されたい。例えば、以上に記載された装置の実施例は、単なる例示である。例えば、ユニットの区分は、単に論理機能の区分であり、実際に実現する際に別の区分方式がある。例えば、複数のユニットまたはコンポーネントは、別のシステムに組み合わせられまたは一体化される。または、一部の特徴は、無視されてもよく、または実行されなくてもよい。また、示されておりまたは議論されている相互間の結合や直接結合や通信接続は、インタフェース、装置またはユニットを介した間接結合や通信接続であり、電気的、機械的、または他の形式である。
【０２５１】
また、本発明の各実施例における各機能的ユニットは、１つの処理部に一体化されていてもよいし、別々に設けられていてもよいし、２つ以上が一体化されてもよい。上述した一体化ユニットは、ハードウェアの形態、またはハードウェアとソフトウェア機能ユニットの形態で実施することができる。
【０２５２】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本発明の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０２５３】
以上記載されたのは、本開示の好適な実施形態である。当業者は、本開示に記載されている原理を逸脱せずに様々な改良や修飾をすることもできる。これらの改良や修飾も、本開示の保護範囲として見なされるべきである。
【図１】
2021503793.tif 000751
【図２】
2021503793.tif 000752
【図３】
2021503793.tif 000753
【図４】
2021503793.tif 000754
【図５】
2021503793.tif 000755
【図６】
2021503793.tif 000756
【図７】
2021503793.tif 000757
【図８】
2021503793.tif 000758
【図９】
2021503793.tif 000759
【図１０】
2021503793.tif 000760
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
アップリンクチャネルフォーマットに対応するアップリンク伝送パラメータを取得することと、
アップリンク電力の制御を実現するように、前記アップリンク伝送パラメータに基づいてアップリンク電力調整値を計算することと、
を含む、アップリンク電力制御方法。
【請求項２】
前記アップリンクチャネルフォーマットは、２ビット以下の短いＰＵＣＣＨフォーマットである第１ＰＵＣＣＨフォーマットであり、
前記のアップリンクチャネルフォーマットに対応するアップリンク伝送パラメータを取得することは、
前記第１ＰＵＣＣＨフォーマットに占用されるシンボル数を取得することを含み、
前記の前記アップリンク伝送パラメータに基づいてアップリンク電力調整値を計算することは、
前記第１ＰＵＣＣＨフォーマットに占用されるシンボル数に基づいて前記アップリンク電力調整値を計算することを含む、請求項１に記載の方法。
【請求項３】
前記の前記第１ＰＵＣＣＨフォーマットに占用されるシンボル数に基づいて前記アップリンク電力調整値を計算することは、
前記アップリンク電力調整値を以下の式で
【数１】
2021503793.tif 000761
ここで、
【数２】
2021503793.tif 000762
：前記アップリンク電力調整値；
【数３】
2021503793.tif 000763
：前記第１ＰＵＣＣＨフォーマットに占用されるシンボル数；
【数４】
2021503793.tif 000764
：前記第１ＰＵＣＣＨフォーマットに対応する参照係数；
計算することを含む、請求項２に記載の方法。
【請求項４】
前記
【数５】
2021503793.tif 000765
の値は、所定値またはハイレイヤシグナリングによって設定された値である、請求項３に記載の方法。
【請求項５】
前記アップリンクチャネルフォーマットは、２ビットより大きい短いＰＵＣＣＨフォーマットである第３ＰＵＣＣＨフォーマット、または、２ビットより大きい長いＰＵＣＣＨフォーマットである第４ＰＵＣＣＨフォーマットであり、
前記のアップリンクチャネルフォーマットに対応するアップリンク伝送パラメータを取得することは、
ＰＵＣＣＨフォーマットに対応するＵＣＩのビット数、および、前記ＵＣＩを搬送するＲＥの数を取得することを含み、
前記の前記アップリンク伝送パラメータに基づいてアップリンク電力調整値を計算することは、
前記ＵＣＩのビット数および前記ＲＥの数に基づいて前記アップリンク電力調整値を計算することを含む、請求項１に記載の方法。
【請求項６】
前記の前記ＵＣＩのビット数および前記ＲＥの数に基づいて前記アップリンク電力調整値を計算することは、
前記ＵＣＩのビット数が２より大きくかつ１１以下である場合、前記アップリンク電力調整値を以下の式で
【数６】
2021503793.tif 000766
ここで、
【数７】
2021503793.tif 000767
：前記アップリンク電力調整値；
【数８】
2021503793.tif 000768
：前記ＵＣＩのビット数；
【数９】
2021503793.tif 000769
：前記ＲＥの数；
ここで、ＰＵＣＣＨが第３ＰＵＣＣＨフォーマットである場合、
【数１０】
2021503793.tif 000770
；ＰＵＣＣＨが第４ＰＵＣＣＨフォーマットである場合、
【数１１】
2021503793.tif 000771
；
【数１２】
2021503793.tif 000772
：前記ＰＵＣＣＨに占用されるシンボル数；
【数１３】
2021503793.tif 000773
：前記ＰＵＣＣＨのうちのＤＭＲＳに占用されるシンボル数；
【数１４】
2021503793.tif 000774
：前記ＰＵＣＣＨに占用される帯域幅；
ｋ：所定値；
計算することを含む、請求項５に記載の方法。
【請求項７】
前記ＰＵＣＣＨに占用される帯域幅は、サブキャリアの数で示され、
前記ｋの値の範囲は、３以上かつ９以下である、請求項６に記載の方法。
【請求項８】
メモリと、プロセッサと、トランシーバと、前記メモリに格納されて前記プロセッサで実行可能なコンピュータプログラムを含む移動通信端末において、
前記プロセッサは、前記コンピュータプログラムを実行すると、
アップリンクチャネルフォーマットに対応するアップリンク伝送パラメータを取得することと、
アップリンク電力の制御を実現するように、前記アップリンク伝送パラメータに基づいてアップリンク電力調整値を計算することと、
を実現する、移動通信端末。
【請求項９】
前記アップリンクチャネルフォーマットは、２ビット以下の短いＰＵＣＣＨフォーマットである第１ＰＵＣＣＨフォーマットであり、
前記プロセッサは、前記コンピュータプログラムを実行すると、
前記第１ＰＵＣＣＨフォーマットに占用されるシンボル数を取得することと、
アップリンク電力の制御を実現するように、前記第１ＰＵＣＣＨフォーマットに占用されるシンボル数に基づいて前記アップリンク電力調整値を計算することとをさらに実現する、請求項８に記載の移動通信端末。
【請求項１０】
前記プロセッサは、前記コンピュータプログラムを実行すると、
前記アップリンク電力調整値を以下の式で
【数１５】
2021503793.tif 000775
ここで、
【数１６】
2021503793.tif 000776
：前記アップリンク電力調整値；
【数１７】
2021503793.tif 000777
：前記第１ＰＵＣＣＨフォーマットに占用されるシンボル数；
【数１８】
2021503793.tif 000778
：前記第１ＰＵＣＣＨフォーマットに対応する参照係数；
計算することをさらに実現する、請求項９に記載の移動通信端末。
【請求項１１】
前記
【数１９】
2021503793.tif 000779
の値は、所定値またはハイレイヤシグナリングによって設定された値である、請求項１０に記載の移動通信端末。
【請求項１２】
前記アップリンクチャネルフォーマットは、２ビットより大きい短いＰＵＣＣＨフォーマットである第３ＰＵＣＣＨフォーマット、または、２ビットより大きい長いＰＵＣＣＨフォーマットである第４ＰＵＣＣＨフォーマットであり、
前記プロセッサは、前記コンピュータプログラムを実行すると、
ＰＵＣＣＨフォーマットに対応するＵＣＩのビット数、および、前記ＵＣＩを搬送するＲＥの数を取得することと、
前記ＵＣＩのビット数および前記ＲＥの数に基づいて前記アップリンク電力調整値を計算することとをさらに実現する、請求項８に記載の移動通信端末。
【請求項１３】
前記プロセッサは、前記コンピュータプログラムを実行すると、
前記ＵＣＩのビット数が２より大きくかつ１１以下である場合、前記アップリンク電力調整値を以下の式：
【数２０】
2021503793.tif 000780
ここで、
【数２１】
2021503793.tif 000781
：前記アップリンク電力調整値；
【数２２】
2021503793.tif 000782
：前記ＵＣＩのビット数；
【数２３】
2021503793.tif 000783
：前記ＲＥの数；
ここで、ＰＵＣＣＨが第３ＰＵＣＣＨフォーマットである場合、
【数２４】
2021503793.tif 000784
；ＰＵＣＣＨが第４ＰＵＣＣＨフォーマットである場合、
【数２５】
2021503793.tif 000785
；
【数２６】
2021503793.tif 000786
：前記ＰＵＣＣＨに占用されるシンボル数；
【数２７】
2021503793.tif 000787
：前記ＰＵＣＣＨのうちのＤＭＲＳに占用されるシンボル数；
【数２８】
2021503793.tif 000788
：前記ＰＵＣＣＨに占用される帯域幅；
ｋ：所定値；
計算することをさらに実現する、請求項１２に記載の移動通信端末。
【請求項１４】
前記ＰＵＣＣＨに占用される帯域幅は、サブキャリアの数で示され、
前記ｋの値の範囲は、３以上かつ９以下である、請求項１３に記載の移動通信端末。
【国際調査報告】
2021503793.tif 000789
2021503793.tif 000790
2021503793.tif 000791
2021503793.tif 000792